(57)【特許請求の範囲】
【請求項１】
グルーブ側壁がディスクの半径方向に蛇行または偏倚する形態で第１アドレス情報が事前記録されたディスク状記録媒体であって、
第１アドレス情報が与えられるブロック領域と、所定長さで分割された記録データ毎に第２アドレス情報が付加されたセクタ領域とを有し、
ｎ個のブロック領域上にｍ個のセクタ領域（ｎ＜ｍ、但し、ｎ、ｍは共に整数）が割り当てられていることを特徴とするディスク状記録媒体。
【請求項２】
グルーブ側壁の片側のみがディスクの半径方向に蛇行または偏倚する形態で第１アドレス情報が事前記録されたディスク状記録媒体であって、
第１アドレス情報が与えられるグルーブ及びランド各々のブロック領域と、所定長さで分割された記録データ毎に第２アドレス情報が付加されたセクタ領域とを有し、
ｎ個のブロック領域のグルーブ及びランド上にｍ個のセクタ領域（ｎ＜ｍ、但し、ｎ、ｍは共に整数）が割り当てられていることを特徴とするディスク状記録媒体。
【請求項３】
前記セクタ領域は、前記ブロック領域のグルーブ上に割り当てられていることを特徴とする請求項１に記載のディスク状記録媒体。
【請求項４】
第１アドレス情報は、グルーブ側壁の両側がディスク半径方向に蛇行または偏倚する形態で事前記録されていることを特徴とする請求項１に記載のディスク状記録媒体。
【請求項５】
前記第１アドレス情報は、線速度一定で形成されていることを特徴とする請求項１又は２に記載のディスク状記録媒体。
【請求項６】
前記ブロック領域当たりに、予め定められた個数のセクタ領域が割り当てられていることを特徴とする請求項１又は２に記載のディスク状記録媒体。
【請求項７】
前記セクタ領域のサイズは、前記ブロック領域のサイズよりも小さいことを特徴とする請求項１又は２に記載のディスク状記録媒体。
【請求項８】
前記第１アドレス情報と前記第２アドレス情報とは、前記ｎ及びｍの値に応じた所定の関係式を満たすことを特徴とする請求項１又は２に記載のディスク状記録媒体。
【請求項９】
グルーブ側壁がディスクの半径方向に蛇行または偏倚する形態で第１アドレス情報が事前記録されたディスク状記録媒体を用いるディスク記録再生装置であって、
前記記録媒体から再生される第１アドレス情報に基づいて第２アドレス情報を生成し、第１アドレス情報で与えられるｎ個のブロック領域上に、所定長さの記録データ毎に前記第２アドレス情報を付加したｍ個のセクタの領域（ｎ＜ｍ、但し、ｎ、ｍは共に整数）を割り当てて記録を行う一方、
第２アドレス情報に基づいて前記セクタ単位で記録データの再生を行うことを特徴とするディスク記録再生装置。
【請求項１０】
グルーブ側壁の片側のみがディスクの半径方向に蛇行または偏倚する形態で第１アドレス情報が事前記録されたディスク状記録媒体を用いるディスク記録再生装置であって、
前記記録媒体から再生される第１アドレス情報に基づいてグルーブ側及びランド側で異なる第２アドレス情報を生成し、第１アドレス情報で与えられるｎ個のグルーブ及びランド各々のブロック領域上に、所定長さの記録データ毎に前記第２アドレス情報を付加したｍ個のセクタの領域（ｎ＜ｍ、但し、ｎ、ｍは共に整数）を割り当てて記録を行う一方、
第２アドレス情報に基づいて前記セクタ単位で記録データの再生を行うことを特徴とするディスク記録再生装置。
【請求項１１】
グルーブ側壁がディスクの半径方向に蛇行または偏倚する形態で第１アドレス情報が事前記録されたディスク状記録媒体を用いるディスク記録再生装置であって、
前記記録媒体から再生される第１アドレス情報に基づいて第２アドレス情報を生成し、第１アドレス情報で与えられるｎ個のブロック領域上に、所定長さの初期化データ毎に前記第２アドレス情報を付加したｍ個のセクタの領域（ｎ＜ｍ、但し、ｎ、ｍは共に整数）を割り当てて記録を行う一方、
第２アドレス情報に基づいて所定長さの記録データを前記セクタの領域に割り当てて記録を行い、第２アドレス情報に基づいて前記セクタ単位で該記録データの再生を行うことを特徴とするディスク記録再生装置。
【請求項１２】
グルーブ側壁の片側のみがディスクの半径方向に蛇行または偏倚する形態で第１アドレス情報が事前記録されたディスク状記録媒体を用いるディスク記録再生装置であって、
前記記録媒体から再生される第１アドレス情報に基づいてグルーブ側及びランド側で異なる第２アドレス情報を生成し、第１アドレス情報で与えられるｎ個のグルーブ及びランド各々のブロック領域上に、所定長さの初期化データ毎に前記第２アドレス情報を付加したｍ個のセクタの領域（ｎ＜ｍ、但し、ｎ、ｍは共に整数）を割り当てて記録を行う一方、
第２アドレス情報に基づいて所定長さの記録データを前記セクタの領域に割り当てて記録を行い、第２アドレス情報に基づいて前記セクタ単位で該記録データの再生を行うことを特徴とするディスク記録再生装置。
【請求項１３】
前記セクタの領域は、前記ブロック領域のグルーブ上に割り当てられていることを特徴とする請求項９又は１１に記載のディスク記録再生装置。
【請求項１４】
第１アドレス情報に基づいて前記ディスク状記録媒体の回転制御を行うことを特徴とする請求項９から１２の何れか１項に記載のディスク記録再生装置。
【請求項１５】
前記ディスク状記録媒体を線速度一定に回転制御することを特徴とする請求項１４に記載のディスク記録再生装置。
【請求項１６】
前記ブロック領域当たりに、予め定められた個数のセクタ領域を割り当てて記録を行うことを特徴とする請求項９から１２の何れか１項に記載のディスク記録再生装置。
【請求項１７】
前記セクタ領域のサイズは、前記ブロック領域のサイズよりも小さいことを特徴とする請求項９から１２の何れか１項に記載のディスク記録再生装置。
【請求項１８】
前記セクタの領域に記録を行う際、第１アドレス情報の検出信号に基づいて、第２アドレス情報を含めたセクタ位置の同期化を行うことを特徴とする請求項１６に記載のディスク記録再生装置。
【請求項１９】
前記セクタの領域に記録を行う際、現在のセクタが何番目であるかを示し、第１アドレス情報の検出信号に基づいて初期化されるセクタ計数情報を出力するタイミング生成手段を備えており、
上記タイミング生成手段が出力するセクタ計数情報に基づいて、セクタの領域への記録を行うことを特徴とする請求項１８に記載のディスク記録再生装置。
【請求項２０】
前記第１アドレス情報と前記ｎ及びｍの値とに基づいて、前記第２アドレス情報を生成することを特徴とする請求項９から１２の何れか１項に記載のディスク記録再生装置。
【発明の詳細な説明】
【０００１】
【産業上の利用分野】
本発明は、記録可能なディスク状記録媒体、並びにディスク状記録媒体を用いて各種データの記録再生を行うディスク記録再生装置に関するものである。
【０００２】
【従来の技術】
記録可能な光ディスクにおける記録容量の向上手段として、特開平１−２２４９２９号公報で詳しく述べられているように、サーボトラック用のグルーブをディスクの半径方向に蛇行させる形態が提案されている。図１９は、上記形態の具体例を示すディスクの模式図であり、サーボトラック用グルーブ２０１（説明の便宜上、ハッチングで示す）はアドレス情報が２相マーク変調された後に周波数変調され、ディスク２００の半径方向（図の左右方向）に蛇行する形態で線速度一定で事前形成された事前記録アドレス情報を成している。蛇行周波数としては事前記録アドレス情報の周波数帯域として、記録情報帯域とトラッキングサーボ帯域の中間の周波数帯域が割り当てられている。ここではＣＤ（ＣｏｍｐａｃｔＤｉｓｃ）やＣＤ−ＲＯＭ（Ｃｏｍｐａｃｔ  Ｄｉｓｃ−Ｒｅａｄ  ＯｎｌｙＭｅｍｏｒｙ）で用いられているフォーマットに適用した場合が示されており、記録情報としてはＥＦＭ（Ｅｉｇｈｔ  ｔｏ  Ｆｏｕｒｔｅｅｎ  Ｍｏｄｕｌａｔｉｏｎ）が用いられるため、その周波数帯域としては約７２０ｋＨｚ〜２００ｋＨｚとなり、事前記録アドレス情報の周波数としては、記録情報の信号品質への影響を抑えられる周波数として記録情報の下限周波数の１０分の１程度である２２．０５ｋＨｚが事前記録アドレス情報信号で用いる中心周波数として与えられている。また、ここで用いられる事前記録アドレス情報は同期信号とアドレスデータと誤り検出ビットで構成され、ＣＤやＣＤ−ＲＯＭ元来のフォーマットで用いられる９８フレーム単位のサブコードアドレス情報の値と一致する形態がとられる。
【０００３】
ディスク記録再生装置においてはトラッキングサーボ用の上記グルーブにトラッキングしてその誤差信号から上記事前記録アドレス情報を抽出し、その中心周波数が２２．０５ＫＨｚとなるようにディスク回転制御を行うことでＣＬＶ（Ｃｏｎｓｔａｎｔ  Ｌｉｎｅａｒ  Ｖｅｌｏｃｉｔｙ）方式によるディスクの線速度一定回転制御が行なえると共に、事前記録アドレス情報を復号することでアドレスデータを得てディスク上の未記録領域を含めた任意の位置へのアクセス動作並びに記録再生動作が実現できるものであり、線記録密度がディスク上のどの領域でも一定とできることから、従来のＣＡＶ（Ｃｏｎｓｔａｎｔ  ＡｎｇｌｅｒＶｅｌｏｃｉｔｙ）方式の角速度一定のディスクに比べて記録容量の向上が達成される。
【０００４】
図１８は上記形態をＣＤに適用した場合のディスクで用いられるセクタ割り当てを示す模式図であり、１７ａはグルーブをディスクの半径方向に蛇行させることで得られる事前記録アドレス情報を構成する情報列を、１７ｂは上記事前記録アドレス情報のグルーブ上でのアドレス割り当てを、１７ｃは上記グルーブ上に記録される記録情報が割り当てられるセクタを、１７ｄは上記セクタを構成する情報列を、１７ｅは上記セクタの内、サブコードアドレス情報を構成する情報列をそれぞれ示している。事前記録アドレス情報は１７ａに示すように、事前記録アドレス情報の各々の先頭を示すＳＹＮＣ（図中符号ａ１）と、実際のアドレス値が示される第１アドレスデータａ２と、第１アドレスデータの誤り検出を行なうためのコードであるＣＲＣ（ａ３）により構成され、対応する物理的な領域としてブロックを成している。この事前記録アドレス情報がディスク全面に図１９に示すようなディスクの半径方向に蛇行する形態でトラッキング用グルーブとして連続形成されている。従って連続する蛇行グルーブには１７ｂに示すように、ブロックｂ１にはブロックアドレスＰａ１、ブロックｂ２にはブロックアドレスＰａ２・・・がそれぞれ対応している様子を示している。
【０００５】
一方、グルーブ上に記録される記録情報としては１７ｃに示すようにセクタｃ１、ｃ２・・・の単位で分割されており、セクタｃ１にはセクタアドレスＧａ１、セクタｃ２にはセクタアドレスＧａ２・・・・が割り当てられており、ブロックｂ１の領域に対してセクタｃ１が、ブロックｂ２の領域に対してセクタｃ２がそれぞれ対応していることを示す。従って、ブロックアドレスＰａ１に対してセクタアドレスＧａ１が、ブロックアドレスＰａ２に対してセクタアドレスＧａ２がそれぞれ対応していることになり、ここでのブロックの意味付けはセクタと等しい。また、上記各々のセクタは１７ｄに示すように記録情報の先頭を示す同期フィールドｄ１と、サブコードアドレス情報が含まれるサブコードフィールドｄ２と、記録情報及びエラー検出訂正コード等が記録されるデータフィールドｄ３とにより成るＥＦＭフレームが９８フレーム繰り返されることで上記セクタを構成されている。そして、サブコード部分ｄ２・・・ｄ２９３を９８個抜き出して接続したものが１７ｅに示すようにサブコードアドレス情報の先頭を示す同期フィールドｅ１と、サブコードアドレスフィールドｅ２と、サブコードアドレスの誤りを検出するためのＣＲＣフィールドｅ３より構成されるサブコードアドレス情報を成す。
【０００６】
ここで上記ブロックの物理的な領域はセクタの物理的な領域と等しく、従って事前記録アドレスの値はサブコードアドレスの値と等しい。ユーザデータの記録再生は一般にセクタと呼ばれるグループを記録再生の最小単位として実施されるが、上記形態を有するディスクでは事前記録アドレス情報１７ａが与えられる単位をセクタとして割り当て、事前記録アドレス情報をセクタ番号として用いると共に、この事前記録アドレス情報に対応した同一アドレス値をサブコードの形態で有する記録情報１７ｄが上記セクタ内に配置されるものである。
【０００７】
一方、光ディスクのトラック密度を向上させる手段として、特開平５−３１４５３８号公報で詳しく述べられているように、トラッキングサーボ用グルーブの一方の側壁だけをディスクの半径方向に蛇行させる形態が提案されている。これは図２０に示すように、事前記録アドレス情報がディスク２１０上にウォブリンググルーブ２１１（説明の便宜上、ハッチングで示す）として事前形成されているものであり、グルーブ２１１の一方の側壁だけを蛇行させると共に、グルーブ２１１の幅とそれに挟まれたランド２１２の幅を略等しくすることにより、グルーブ２１１及びランド２１２でのアドレス情報検出と、グルーブ２１１及びランド２１２各々への情報記録を可能とすることで、トラック密度の向上を実現するものである。
【０００８】
【発明が解決しようとする課題】
上記形態はアドレス情報が非可逆状態のウォブリング形態で事前記録されているため、セクタサイズはディスク毎に固定されてしまう。これは、セクタサイズが十分に小さい場合は問題はないが、セクタサイズが大きい場合は、データ利用率の低下を引き起こすだけでなく、データ記録再生のための処理時間も増大してしまうという問題がある。具体的には、例えば５００バイトの容量のデータを記録したい場合においても１セクタを割り当てた記録が行われるため、セクタサイズが２０４８バイトであれば利用率は約４分の１、セクタサイズが４０９６バイトの場合は約８分の１となってしまうと共に、データ記録に必要な時間はそれぞれ４倍、８倍と所要してしまうことになる。そこでセクタサイズを小さくすることが考えられるが、前記従来例としてＣＤ−ＲＯＭフォーマットに事前記録アドレス情報を適用した場合では、セクタサイズは２０４８バイトが与えられて実現されており、これを通常の計算機用等で用いられる１０２４バイトや５１２バイトの小さなセクタサイズで適用する場合は、セクタの単位に対応する事前記録アドレス情報を示すためのウォブリング周波数が２倍、４倍と高くなり、記録情報の周波数帯域に近付いてしまうことから、セクタサイズの小さなフォーマットで適用することができないという問題がある。
【０００９】
また、上記形態を有したディスクにおける事前記録アドレス情報のアドレスデータは、その正誤を誤り検出ビットによって知ることができるが、誤り訂正機能は有しておらず、信頼性の高い記録再生を行うためには不十分である。そこで、事前記録アドレス情報に誤り訂正のためのビットを追加したり、またアドレスデータを多重に記録したりすることで信頼性を向上する方法が考えられるが、これは事前記録アドレス情報としての割り当てビットを増加することになり、従って事前記録アドレス情報のウォブリング周波数が高くなって、記録情報の周波数帯域に干渉してしまうことになり、記録情報の信号品質に悪影響を及ぼしてしまうという問題がある。更に、事前記録アドレス情報はトラッキングサーボの検出系から抽出を行うが、事前記録アドレス情報の周波数帯域が高くなることは、それに対応してトラッキングサーボ検出系に要求される周波数帯域も高くなってしまい望ましくないという問題がある。
【００１０】
本発明の目的は上記問題点に鑑み、アドレス情報が事前記録された記録可能なディスク状記録媒体であって、信頼性の高い記録再生を所望のセクタサイズで行うことができる、大容量の記録媒体並びにディスク記録再生装置を提供することにある。
【００１１】
【課題を解決するための手段】
本発明のディスク状記録媒体は、グルーブ側壁がディスクの半径方向に蛇行または偏倚する形態で第１アドレス情報が事前記録されたディスク状記録媒体であって、第１アドレス情報が与えられるブロック領域と、所定長さで分割された記録データ毎に第２アドレス情報が付加されたセクタ領域とを有し、領域上にｍ個のセクタ領域（ｎ＜ｍ、但し、ｎ、ｍは共に整数）が割り当てられていることを特徴としている。
【００１２】
また、本発明のディスク状記録媒体は、グルーブ側壁の片側のみがディスクの半径方向に蛇行または偏倚する形態で第１アドレス情報が事前記録されたディスク状記録媒体であって、第１アドレス情報が与えられるグルーブ及びランド各々のブロック領域と、所定長さで分割された記録データ毎に第２アドレス情報が付加されたセクタ領域とを有し、ｎ個のブロック領域のグルーブ及びランド上にｍ個のセクタ領域（ｎ＜ｍ、但し、ｎ、ｍは共に整数）が割り当てられていることを特徴としている。
【００１３】
また、上記の記録媒体であって、第２アドレス情報は、共通の第１アドレス値を有するランドとグルーブに対応して各々同一の第２アドレス値を含むことを特徴としている。
【００１４】
さらに、上記の記録媒体であって、第２アドレス情報は、グルーブ上とランド上とで異なった第２アドレス値が割り当てられていることを特徴としている。
【００１５】
また、上記の記録媒体であって、第１アドレス情報は、線速度一定で形成されていることを特徴としている。
【００１６】
また、本発明のディスク記録再生装置は、グルーブ側壁がディスクの半径方向に蛇行または偏倚する形態で第１アドレス情報が事前記録されたディスク状記録媒体を用いるディスク記録再生装置であって、該記録媒体から再生される第１アドレス情報に基づいて複数の第２アドレス情報を生成し、第１アドレス情報で与えられるｎ個のブロック領域上に、所定長さの記録データ毎に前記第２アドレス情報を付加したｍ個のセクタの領域（ｎ＜ｍ、但し、ｎ、ｍは共に整数）を割り当てて記録を行う一方、第２アドレス情報に基づいて該セクタ単位で記録データの再生を行うことを特徴としている。
【００１７】
また、本発明のディスク記録再生装置は、グルーブ側壁の片側のみがディスクの半径方向に蛇行または偏倚する形態で第１アドレス情報が事前記録されたディスク状記録媒体を用いるディスク記録再生装置であって、該記録媒体から再生される第１アドレス情報に基づいてグルーブ側及びランド側で異なる複数の第２アドレス情報を生成し、第１アドレス情報で与えられるｎ個のグルーブ及びランド各々のブロック領域上に、所定長さの記録データ毎に前記第２アドレス情報を付加したｍ個のセクタの領域（ｎ＜ｍ、但し、ｎ、ｍは共に整数）を割り当ててを行う一方、第２アドレス情報に基づいて該セクタ単位で記録データの再生を行うことを特徴としている。
【００１８】
また、本発明のディスク記録再生装置は、グルーブ側壁がディスクの半径方向に蛇行または偏倚する形態で第１アドレス情報が事前記録されたディスク状記録媒体を用いるディスク記録再生装置であって、該記録媒体から再生される第１アドレス情報に基づいて第２アドレス情報を生成し、第１アドレス情報で与えられるｎ個のブロック領域上に、所定長さの初期化データ毎に前記第２アドレス情報を付加したｍ個のセクタの領域（ｎ＜ｍ、但し、ｎ、ｍは共に整数）を割り当てて記録を行う一方、第２アドレス情報に基づいて所定長さの記録データを前記セクタの領域に割り当てて記録を行い、第２アドレス情報に基づいて前記セクタ単位で該記録データの再生を行うことを特徴としている。
【００１９】
また、本発明のディスク記録再生装置は、グルーブ側壁の片側のみがディスクの半径方向に蛇行または偏倚する形態で第１アドレス情報が事前記録されたディスク状記録媒体を用いるディスク記録再生装置であって、該記録媒体から再生される第１アドレス情報に基づいてグルーブ側及びランド側で異なる複数の第２アドレス情報を生成し、第１アドレス情報で与えられるｎ個のグルーブ及びランド各々のブロック領域上に、所定長さの初期化データ毎に前記第２アドレス情報を付加したｍ個のセクタの領域（ｎ＜ｍ、但し、ｎ、ｍは共に整数）を割り当てて記録を行う一方、第２アドレス情報に基づいて所定長さの記録データを前記セクタの領域に割り当てて記録を行い、第２アドレス情報に基づいて前記セクタ単位で該記録データの再生を行うことを特徴としている。
【００２０】
また、上記のディスク記録再生装置であって、記録中に得られる第１アドレス情報に基づいて、第２アドレス情報を含めた記録セクタの同期化を行うことを特徴としている。
【００２１】
さらに、上記のディスク記録再生装置であって、第１アドレス情報に基づいてディスクの回転制御を行うことを特徴としている。
【００２２】
また、上記のディスク記録再生装置であって、上位装置からの記録再生指定アドレスからランド側かグルーブ側かを判定すると共に、ランドとグルーブとで異なった第２アドレス情報に変換を行うことを特徴としている。
【００２３】
【作用】
本発明のディスク状記録媒体によれば、グルーブ側壁がディスクの半径方向に蛇行または偏倚する形態で事前形成された第１アドレス情報によって与えられるブロック領域と、所定長さで分割された記録データ毎に第２アドレス情報が付加されたセクタ領域とを有し、ｎ個のブロック領域上にｍ個のセクタ領域（ｎ＜ｍ、但し、ｎ、ｍは共に整数）が割り当てられているため、第１アドレス情報に対応したブロックサイズよりも小さなセクタサイズでの記録再生が行えると共に、セクタに対するアドレス情報として信頼性の高い第２アドレス情報を与えることが可能になる。
【００２４】
また、本発明のディスク状記録媒体によれば、グルーブ側壁の片側のみがディスクの半径方向に蛇行または偏倚する形態で事前形成された第１アドレス情報によって与えられるグルーブ及びランド各々のブロック領域と、所定長さで分割された記録データ毎に第２アドレス情報が付加されたセクタ領域とを有し、ｎ個のブロック領域のグルーブ及びランド上にｍ個のセクタ領域（ｎ＜ｍ、但し、ｎ、ｍは共に整数）が割り当てられているため、第１アドレス情報に対応したブロックサイズよりも小さなセクタサイズでの記録再生が、グルーブ上及びランド上各々に対して行えると共に、セクタに対するアドレス情報として信頼性の高い第２アドレス情報を与えることが可能になる。
【００２５】
また、上記のディスク状記録媒体において、第２アドレス情報は、共通の第１アドレス値を有するランドとグルーブに対応して各々同一の第２アドレス値を含むため、第１アドレス値とそれに対応する第２アドレス値との変換を容易に行える。
【００２６】
さらに、上記の記録媒体において、第２アドレス情報は、グルーブ上とランド上とで異なった第２アドレス値が割り当てられているため、第２アドレス値によるグルーブとランドとの判定が可能となる。
【００２７】
また、上記の記録媒体において、第１アドレス情報は線速度一定で形成されているため、記録媒体全体の記録容量を角速度一定で形成された記録媒体に比べて大きくなる。
【００２８】
また、本発明のディスク記録再生装置によれば、グルーブ側壁がディスクの半径方向に蛇行または偏倚する形態で事前記録された第１アドレス情報に基づいて複数の第２アドレス情報が生成され、第１アドレス情報で与えられるｎ個のブロック領域上に、所定長さの記録データ毎に前記第２アドレス情報を付加したｍ個のセクタの領域（ｎ＜ｍ、但し、ｎ、ｍは共に整数）を割り当てて記録が行われる一方、第２アドレス情報に基づいて該セクタ単位で記録データの再生を行なわれることから、第１アドレス情報に対応するブロックよりも小さなサイズを有するセクタ単位での記録再生が行われると共に、信頼性の高い第２アドレス情報を用いた記録データの再生が行われる。
【００２９】
また、本発明のディスク記録再生装置によれば、グルーブ側壁の片側のみがディスクの半径方向に蛇行または偏倚する形態で事前記録された第１アドレス情報に基づいてグルーブ側及びランド側で異なる複数の第２アドレス情報が生成され、第１アドレス情報で与えられるｎ個のグルーブ及びランド各々のブロック領域上に、所定長さの記録データ毎に前記第２アドレス情報を付加したｍ個のセクタの領域（ｎ＜ｍ、但し、ｎ、ｍは共に整数）を割り当てて記録が行なわれる一方、第２アドレス情報に基づいて該セクタ単位で記録データの再生を行なわれることから、第１アドレス情報に対応するブロックよりも小さなサイズを有するセクタ単位での記録再生がグルーブ及びランドを用いて行われると共に、信頼性の高い第２アドレス情報を用いた記録データの再生が行われる。
【００３０】
また、本発明のディスク記録再生装置によれば、グルーブ側壁がディスクの半径方向に蛇行または偏倚する形態で事前形成された第１アドレス情報に基づいて複数の第２アドレス情報が生成され、第１アドレス情報で与えられるｎ個のブロック領域上に、所定長さの初期化データ毎に前記第２アドレス情報を付加したｍ個のセクタの領域（ｎ＜ｍ、但し、ｎ、ｍは共に整数）を割り当てて記録が行なわれる一方、第２アドレス情報に基づいて所定長さの記録データを前記セクタの領域に割り当てて記録が行われ、第２アドレス情報に基づいて前記セクタ単位で該記録データの再生が行なわれることから、第１アドレス情報に対応するブロックよりも小さなサイズを有するセクタ単位での記録再生が行われると共に、信頼性の高い第２アドレス情報を用いた記録データの記録再生が行われる。
【００３１】
また、本発明のディスク記録再生装置によれば、グルーブ側壁の片側のみがディスクの半径方向に蛇行または偏倚する形態で事前記録された第１アドレス情報に基づいてグルーブ側及びランド側で異なる複数の第２アドレス情報を生成し、第１アドレス情報で与えられるｎ個のグルーブ及びランド各々のブロック領域上に、所定長さの初期化データ毎に前記第２アドレス情報を付加したｍ個のセクタの領域（ｎ＜ｍ、但し、ｎ、ｍは共に整数）を割り当てて記録が行なわれる一方、第２アドレス情報に基づいて所定長さの記録データを前記セクタの領域に割り当てて記録が行われ、第２アドレス情報に基づいて前記セクタ単位で該記録データの再生が行われることから、第１アドレス情報に対応するブロックよりも小さなサイズを有するセクタ単位での記録再生がグルーブ及びランドを用いて行われると共に、信頼性の高い第２アドレス情報を用いた記録データの記録再生が行われる。
【００３２】
また、上記のディスク記録再生装置において、記録中に得られる第１アドレス情報に基づいて、第２アドレス情報を含めた記録セクタの同期化が行なわれるため、第１アドレス情報が対応するブロックと第２アドレス情報が対応するセクタが常に同期した関係でディスク上に記録される。
【００３３】
さらに、上記のディスク記録再生装置において、第１アドレス情報に基づいてディスクの回転制御が行なわれるため、特別な手段を必要とせずに線速度一定の回転制御が行われる。
【００３４】
また、上記のディスク記録再生装置において、上位装置からの記録再生指定アドレスからランド側かグルーブ側かが判定されると共に、ランドとグルーブとで異なった第２アドレス情報に変換されるため、予め決められたグルーブ上またはランド上の第１アドレス情報が対応するブロックへのアクセス動作が行われると共に、任意の第２アドレス情報が対応するセクタへの記録再生動作が行われる。
【００３５】
【実施例】
（実施例１）第１の発明に係るディスク状記録媒体の一実施例について説明すれば以下の通りである。図１は、本発明によるディスク状記録媒体で用いられるアドレス情報配置を示す模式図であり、１ａはグルーブをディスクの半径方向に蛇行させることで得られる第１アドレス情報を構成する情報列を、１ｂは上記第１アドレス情報のグルーブ上でのアドレス割り当てを、１ｃは上記グルーブ上に記録される記録情報が割り当てられるセクタを、１ｄは上記セクタを構成する情報列を、１ｅは上記セクタの内、第２アドレス情報を構成するヘッダの情報列をそれぞれ示している。
【００３６】
第１アドレス情報は１ａに示すように、第１アドレス情報の各々の先頭を示すＳＹＮＣ（図中符号ａ１）と、実際のアドレス値が示される第１アドレスデータａ２と、第１アドレスデータの誤り検出を行なうためのＣＲＣ（ａ３）により構成され、対応する物理的な領域としてブロックを成している。この第１アドレス情報がディスク全面に図１９で示すようなディスクの半径方向（図の左右方向）に蛇行する形態でトラッキング用グルーブとして連続形成されている。従って連続する蛇行グルーブには１ｂに示すように、ブロックｂ１にはブロックアドレスＰａ１、ブロックｂ２にはブロックアドレスＰａ２・・・がそれぞれ対応している様子を示している。一方、グルーブ上に記録される記録情報としては１ｃに示すようにセクタｃ１、ｃ２、ｃ３・・・の単位で分割されており、セクタｃ１にはセクタアドレスＧａ１、セクタｃ２にはセクタアドレスＧａ２・・・・が割り当てられており、ブロックｂ１の領域に対してセクタｃ１乃至セクタｃ４が、ブロックｂ２の領域に対してセクタｃ５乃至セクタｃ８がそれぞれ対応していることを示す。
【００３７】
従って、ブロックアドレスＰａ１に対してセクタアドレスＧａ１乃至Ｇａ４が、ブロックアドレスＰａ２に対してセクタアドレスＧａ５乃至Ｇａ８がそれぞれ対応していることになる。また、上記各々のセクタは１ｄに示すように第２アドレス情報であるセクタアドレスが含まれるヘッダフィールドｄ１と、このディスクを用いる記録再生装置においてヘッダを認識し判定する時間確保を目的として設定されるギャップフィールドｄ２と、記録情報及びエラー検出訂正コード等が記録されるデータフィールドｄ３と、記録時に回転変動があっても後続するセクタのヘッダフィールドへの記録を防止するためのバッファフィールドｄ４により構成されている。更に、ヘッダフィールドｄ１は１ｅに示すように、このディスクを用いる記録再生装置においてヘッダフィールド再生のためのビット同期、即ちＰＬＬ（Ｐｈａｓｅ  Ｌｏｃｋｅｄ  Ｌｏｏｐ）動作を行わせるためのＶＦＯフィールドｅ１及びｅ６と、後述するフラグフィールドや第２アドレスデータの先頭を認識するためのＡＭフィールドｅ２及びｅ７と、第２アドレスデータの属性情報等が含まれるフラグフィールドｅ３及びｅ８と、セクタアドレスが示される第２アドレスデータフィールドｅ４及びｅ９と、フラグフィールドや第２アドレスデータに関する誤りを検出するためのＣＲＣフィールドｅ５及びｅ１０から構成されている。
【００３８】
ここで、第２アドレス情報としてのセクタアドレスは、同一の内容が２回記録されており、フラグフールドｅ３及びｅ８は第２アドレスデータが１回目（即ちｅ４か）、２回目（即ちｅ８か）を判別する情報として割り当てることができる。このように構成されたディスク形態を用いることにより、事前記録された第１アドレス情報を用い、従来と同様に記録情報が記録されていない未記録領域においても第１アドレスの認識による所望のディスク領域へのアクセス動作が可能となり、第１アドレス情報が線速度一定で形成されているディスクであれば、記録再生装置においても容易に線速度一定の回転制御が行われ、大容量のディスク記録媒体を実現できる。一方、記録情報に対応する領域単位としてセクタの単位が用いられるが、このセクタは上記で明らかなように、第１アドレス情報に対応するブロックに対して複数個のセクタで構成されており、ブロックのサイズとは独立して記録再生の最小単位であるセクタが設定されている。従って、ブロックのサイズに左右されず、所望の小さなサイズでの記録再生が可能となり、記録情報として小さなサイズのデータを記録する場合であってもデータ利用率の低下が小さく、ディスクをより有効に利用できる。また、セクタ各々について第２アドレス情報が付加されているため、第１アドレス情報のみを用いる形態に比べてセクタ認識の信頼性を向上できるものである。特に、上記実施例で用いたグルーブをディスクの半径方向に蛇行させる形態で示された第１アドレス情報の信号品質に比べると、上記第２アドレス情報の信号品質は記録情報と同一の品質が得られることから、アドレス検出の信頼性を向上でき、更に、第２アドレス情報として同一アドレスを複数回記録することにより信頼性をより向上できるものである。
【００３９】
（実施例２）本発明の第２に係るディスク状記録媒体の一実施例について説明すれば以下の通りである。図２は、本発明によるディスク状記録媒体で用いられるアドレス情報配置を示す模式図であり、２ａはグルーブをディスクの半径方向に蛇行させることで得られる第１アドレス情報を構成する情報列を、２ｂ及び２ｃは上記第１アドレス情報のグルーブ上及び隣合うランド上でのアドレス割り当てを、２ｄ及び２ｅは上記グルーブ上及び隣合うランド上に記録される記録情報が割り当てられるセクタを、２ｆは上記セクタを構成する情報列を、２ｇは上記セクタの内、第２アドレス情報を構成するヘッダの情報列をそれぞれ示している。
【００４０】
第１アドレス情報は２ａに示すように、第１アドレス情報の各々の先頭を示すＳＹＮＣ（図中符号ａ１と、実際のアドレス値が示される第１アドレスデータａ２と、第１アドレスデータの誤り検出を行なうためのＣＲＣ（ａ３により構成され、対応する物理的な領域としてブロックを成している。この第１アドレス情報がディスク全面に図２０で示すようなディスクのグルーブ側壁の片側のみが半径方向に蛇行する形態でトラッキング用グルーブとして連続形成されている。従って連続する蛇行グルーブには２ｂに示すように、ブロックｂ１にはブロックアドレスＰａ１、ブロックｂ２にはブロックアドレスＰａ２・・・がそれぞれ対応すると共に、前記グルーブと隣合う蛇行ランドには２ｂに示すように、ブロックｃ１にはブロックアドレスＰａ１、ブロックｃ２にはブロックアドレスＰａ２・・・がそれぞれ対応している様子を示している。即ち、グルーブ２ｂに事前形成された第１アドレス情報は例えばディスクの外周側のグルーブ側壁のみがディスク半径方向に蛇行した形態を成しており、このグルーブに隣合ったランド２ｃの第１アドレス情報は、前記に対応してディスクの内周側がディスクの半径方向に蛇行した形態が得られ、従ってグルーブ上のブロックｂ１、ｂ２の第１アドレスと、ランド上のブロックｃ１、ｃ２の第１アドレスはそれぞれ同一の値が得られるものである。一方、グルーブ上に記録される記録情報としては２ｄに示すようにセクタｄ１、ｄ２、ｄ３・・・の単位で分割されており、セクタｄ１にはセクタアドレスＧａ１、セクタｄ２にはセクタアドレスＧａ２・・・・が割り当てられており、グルーブ上のブロックｂ１の領域に対してセクタｄ１乃至セクタｄ４が、ブロックｂ２の領域に対してセクタｄ５乃至セクタｄ８がそれぞれ対応していることを示す。
【００４１】
従って、グルーブ上のブロックアドレスＰａ１に対してセクタアドレスＧａ１乃至Ｇａ４が、グルーブ上のブロックアドレスＰａ２に対してセクタアドレスＧａ５乃至Ｇａ８がそれぞれ対応していることになる。同様に、ランド上に記録される記録情報としては２ｅに示すようにセクタｅ１、ｅ２、ｅ３・・・の単位で分割されており、セクタｅ１にはセクタアドレスＬａ１、セクタｅ２にはセクタアドレスＬａ２・・・・が割り当てられており、ランド上のブロックｃ１の領域に対してセクタｅ１乃至セクタｅ４が、ブロックｃ２の領域に対してセクタｅ５乃至セクタｅ８がそれぞれ対応していることを示す。従って、ランド上のブロックアドレスＰａ１に対してセクタアドレスＬａ１乃至Ｌａ４が、ランド上のブロックアドレスＰａ２に対してセクタアドレスＬａ５乃至Ｌａ８がそれぞれ対応していることになる。また、上記グルーブ側及びランド側各々のセクタは２ｆに示すように第２アドレス情報であるセクタアドレスが含まれるヘッダフィールドｆ１と、このディスクを用いる記録再生装置においてヘッダを認識し判定する時間確保を目的として設定されるギャップフィールドｆ２と、記録情報及びエラー検出訂正コード等が記録されるデータフィールドｆ３と、記録時に回転変動があっても後続するセクタのヘッダフィールドへの記録を防止するためのバッファフィールドｆ４により構成されている。
【００４２】
更に、ヘッダフィールドｆ１は２ｇに示すように、このディスクを用いる記録再生装置においてヘッダフィールド再生のためのビット同期を行わせるためのＶＦＯフィールドｇ１及びｇ６と、後述するフラグフィールドと第２アドレスデータの先頭を認識するためのＡＭフィールドｇ２及びｇ７と、第２アドレスデータの属性情報等が含まれるフラグフィールドｇ３及びｇ８と、セクタアドレスが示される第２アドレスデータフィールドｇ４及びｇ９と、フラグフィールドと第２アドレスデータに関する誤りを検出するためのＣＲＣフィールドｇ５及びｇ１０から構成されている。ここで、第２アドレス情報としてのセクタアドレスは、同一の内容が２回記録されており、フラグフールドg３及びg８は第２アドレスデータが１回目即ちｇ４か、２回目即ちｅ８かを判別する情報を含むと共に、２ｄで示すグルーブ上に存在する場合と２ｅで示すランド上に存在する場合とを識別する情報のフラグとして割り当てることができる。また、同一の第１アドレス値を有するグルーブのセクタアドレスとランドのセクタアドレスについては同一のセクタアドレス値を用いることにより、第１アドレスに対応する第２アドレスがグルーブ側とランド側で共通とできることから、アドレス変換処理を容易とできる。尚、第２アドレス情報の別形態として、グルーブ側とランド側のアドレスを重ならない値、例えばグルーブ側とランド側のセクタアドレス値を共にディスク全面で昇順する形態とし、ランド側セクタアドレスの最小値をグルーブ側セクタアドレスの最大値に継続するよう割り当てるようにしてもよい。この場合は、セクタアドレス値そのものをグルーブ側とランド側の識別情報として用いることができ、フラグフィールド内に特別な識別情報を必要としない。このように構成されたディスク形態を用いることにより、事前記録された第１アドレス情報を用い、従来と同様に記録情報が記録されていない未記録領域においても第１アドレスの認識による所望のディスク領域へのアクセス動作が可能となり、第１アドレス情報が線速度一定で形成されているディスクであれば、記録再生装置においても容易に線速度一定の回転制御が行われると共に、グルーブ及びランドを用いた大容量のディスク記録媒体を実現できる。
【００４３】
一方、記録情報に対応する単位領域としてセクタの単位が用いられるが、このセクタは上記で明らかなように、第１アドレス情報に対応するブロックに対して複数個のセクタで構成されており、ブロックのサイズとは独立して記録再生の最小単位であるセクタが設定されている。従って、ブロックのサイズに左右されず、所望の小さなサイズでの記録再生が可能となり、記録情報として小さなサイズのデータを記録する場合であってもデータ利用率の低下が小さく、ディスクをより有効に利用できる。また、セクタ各々について第２アドレス情報が付加されているため、第１アドレス情報のみを用いる形態に比べてセクタ認識の信頼性を向上できるものである。特に、上記実施例で用いたグルーブをディスクの半径方向に蛇行させる形態で示された第１アドレス情報の信号品質に比べると、上記第２アドレス情報の信号品質は記録情報と同一の品質が得られることから、アドレス検出の信頼性を向上でき、更に、第２アドレス情報として同一アドレスを複数回記録することにより信頼性をより向上できる。また、第２アドレス情報には、グルーブ側かランド側かを判定可能な識別情報を含んでいることから、このディスクを用いた記録再生装置においてトラックサーボがグルーブとランドのどちらにかかっているかを判別する識別情報として用いることができ、例えばトラッキングサーボ方式として３ビーム法を用いるディスク記録再生装置の場合は、グルーブとランドの幅がほぼ等しい本発明の第２に係る上記ディスクにおいてはトラッキングされる側がランドかグルーブか不確定であるため、上記識別情報は有意なものとして用いることができる。
【００４４】
（実施例３）本発明の第３に係るディスク記録再生装置の一実施例について説明すれば以下の通りである。図３は上記実施例１で説明した形態のディスク状記録媒体を用いて、記録情報の記録再生を行なうディスク記録再生装置の構成図であり、光磁気ディスク１を支持して回転駆動するためのスピンドルモータ２と、回転する光磁気ディスク１上の所望の位置にレーザビームを照射し、再生時においては光磁気ディスク１からの反射光を検出し更に記録時においては再生時よりも高い強度のレーザビーム照射を行う光ヘッド３と、光ヘッド３からの検出信号を増幅して再生データ信号やウォブリング信号やサーボ誤差信号等の目的別の信号を生成する再生アンプ５と、記録時に光磁気ディスク１に磁界を印加する磁気ヘッド１５と、光ヘッド３と磁気ヘッド１５とを光磁気ディスク１の半径方向に移動させる送りモータ４と、再生アンプ５からのウォブリング信号やサーボ誤差信号とコントローラ１０からの指示に基づいてスピンドルモータ２の回転制御と光ヘッド３のフォーカシング及びトラッキング制御と送りモータ４の送り制御とを行うサーボ制御回路７と、再生アンプ５からのウォブリング信号を復調し復号化することで光磁気ディスク１上の光ビーム位置の検出を可能にするアドレス情報を得る第１アドレスデコーダ６と、端子１２を介して上位装置からの記録再生指示や記録再生データの送受を行う上位装置インタフェース１１と、上位装置インタフェース１１からの記録データやコントローラ１０からの第２アドレスデータに基づいて記録に必要なデータを生成し、更にこれらのデータを記録に適した形式に変調する記録データ処理回路１３と、記録データ処理回路１３からの記録データに対応した磁界を発生させるための磁気ヘッド１５を駆動するコイルドライバ１４と、再生アンプ５からの再生データ信号を復調してヘッダフィールドを第２アドレスデコーダ９へ送出する一方、データフィールドについて誤り訂正を行う再生データ処理回路８と、再生データ処理回路８からの第２アドレス情報を復号し第２アドレスデータをコントローラ１０へ送出する第２アドレスデコーダ９と、このディスク記録再生装置の各部を制御するコントローラ１０とを備え、これら各部は図に示すように接続されている。
【００４５】
また、図４は第１アドレスデコーダ６及び記録データ処理回路１３のより詳細な構成を示すブロック図であり、再生アンプ５から入力される第１アドレス情報はＦＭ復調回路６ａによって復調され、２値化された２相マーク信号となってクロック生成回路６ｂ、同期検出回路６ｃ、アドレス検出回路６ｄ、誤り検出回路６ｅに供給されている。クロック生成回路６ｂでは入力される２相マーク信号、即ち第１アドレス情報に同期したクロックがＰＬＬを用いて生成され、同期検出回路６ｃ、アドレス検出回路６ｄ、誤り検出回路６ｅに供給されている。同期検出回路６ｃでは入力される２相マーク信号を同期クロックを用いて判定し、例えば図１の２ａで示すＳＹＮＣａ１で規定されたパターンであった場合に同期検出されたとして、同期検出パルスをアドレス検出回路６ｄ、誤り検出回路６ｅ、及び記録データ処理回路１３へ出力する。アドレス検出回路６ｄでは、同期検出回路６ｃからの同期検出パルスに従って第１アドレス情報から図１の２ａで示す第１アドレスデータａ２を検出し、第１アドレス値としてコントローラ１０へ送出する。また、誤り検出回路６ｅでは、同期検出回路６ｃからの同期検出パルスを基準タイミングとして第１アドレス情報の誤りを検出し、アドレス検出結果が正しいか誤っているかの情報を逐次コントローラ１０へ送出する。
【００４６】
一方、記録データ処理回路１３は、記録に必要な各種タイミング信号を生成すると共に１ブロック単位の時間経過に伴って現在セクタが何番目であるかを示すセクタ計数情報を出力するタイミング生成部１３ａと、タイミング生成部１３ａからのタイミング信号に基づいて、コントローラ１０からの第２アドレスデータ等から第２アドレス情報を示すヘッダフィールドを生成するヘッダエンコーダ１３ｂと、上位装置インタフェース１１から与えられる記録データに誤り訂正符号を生成して付加したデータフィールドを生成するデータエンコーダ１３ｃと、ヘッダエンコーダ１３ｂからのヘッダフィールド情報またはデータエンコーダ１３ｃからのデータフィールド情報を記録に適した形式に変調する変調回路１３ｄより構成されている。従って、記録動作においては第１アドレス情報より検出される同期検出パルスに基づいて記録データ処理回路のタイミング生成部１３ａが制御される形態となっており、具体的には、図１の１ｂで示すブロック領域に対し、記録情報として１ｃで示すセクタ領域に対応するよう、第１アドレス情報の同期検出パルスに基づいて逐次同期化されるものである。本実施例では１ブロック当たり４個のセクタが割り当てられており、タイミング生成回路１３ａは４セクタに１回、第１アドレス情報の同期検出パルスが入力されることで、１ｂで示すブロックと１ｃで示すセクタの同期が取られることになる。
【００４７】
一方、タイミング生成回路１３ａからはセクタ計数情報が出力されており、第１アドレス情報の同期検出パルスによって初期化され、セクタ毎に増加する形態のセクタ情報としてコントローラ１０に供給されている。具体的には、例えば１ｃで示す各々のセクタに対し、セクタｃ１、ｃ５・・・では計数値”０”、セクタｃ２、ｃ６・・・では計数値”１”、セクタｃ３、ｃ７・・・では計数値”２”、セクタｃ４、ｃ８・・・では計数値”３”を逐次示すようなセクタ計数情報が与えられる。コントローラ１０は、このセクタ計数情報を用いることで、ブロック内のセクタタイミングを知ることが可能となり、ブロックの途中からでもヘッダを含めたセクタ単位の記録が可能となる。尚、ここでは第１アドレス情報の同期検出信号が検出された場合に記録データ処理回路の同期化が行なわれる構成を示しているが、記録データ処理回路への同期検出パルスを有効とする条件として、第１アドレス情報の誤り検出結果が正しい場合としたり、複数のブロックに渡って同期検出パルスが検出された場合とすることで、第１アドレス情報に基づいた記録データの同期化信頼性を向上できる。
【００４８】
以下に、上記構成を有するディスク記録再生装置における記録再生動作の一実施例を説明する。図５は上記ディスク記録再生装置における記録動作流れを示すフローチャートである。端子１２より上位装置から記録指示が与えられると、コントローラ１０は上位装置インタフェース１１を介して記録指示を認識し、記録動作のための処理が開始される（ｓ１）。ｓ２にてコントローラ１０は上位装置より指示された記録開始指定セクタアドレスから第１アドレス情報に対応する記録ブロックアドレスＰａと第２アドレス情報に対応する記録セクタアドレスＧａを設定すると共に、指示された記録セクタ数をＷＳとして設定する。ここでは図１に示すように、１ブロック当たり４個のセクタを配置する形態について説明するものであり、例えばブロックアドレス値はセクタアドレス値の４分の１の関係とすることができる。次に、コントローラ１０はｓ３にてセクタの先頭に配置すべき第２アドレスデータとしてＧａを記録データ処理回路１３へ設定する。そしてｓ４にて記録を行なうべきブロック位置であるＰａを含むトラックへのアクセス動作を行なう。
【００４９】
このアクセス動作に関しては、コントローラ１０が第１アドレスデコーダから逐次得られる現在の第１アドレスを認識し、サーボ制御回路７を介して送りモータ４及び光ヘッド３を制御することにより所望位置への光ビーム移動が行なわれる。次にｓ５にて第１アドレスデコーダ６より得られる現在の第１アドレスがＰａと一致するかどうかが判定され、一致するとｓ６に達し、記録データ処理回路１３から得られるセクタの計数情報を判定し、記録開始タイミングであるかどうかが判定される。ｓ６にて、セクタ計数情報が記録を行うべきセクタのタイミングと一致したことが判定されると、ｓ７に達し、セクタ単位の記録が開始される。ここで、第１アドレス情報に対応するブロックと第２アドレス情報が対応するセクタは上述のように第１アドレスデコーダ６内の同期検出結果により記録データ処理回路１３内のタイミング生成部が同期化されていることで常に同期した関係で以下の記録が行なわれる。ｓ７においては図１の１ｄ及び１ｅで示す構成のセクタデータとして、記録データ処理回路１３にて、コントローラ１０より与えられた第２アドレスデータＧａを含むヘッダフィールドｄ１が生成され、引き続き上位装置から端子１２より上位装置インタフェース１１を介して入力される記録データを所定のセクタサイズ、例えば５１２バイト毎で区切ってエラー訂正符号等の生成付加が行なわれることにより図１で示すデータフィールドｄ３の生成が行なわれる。
【００５０】
そして、これらの生成データ列が変調回路１３ｄにより変調された１セクタ分のデータとしてコイルドライバ１４へ送出され、磁気ヘッド１５からはセクタデータに対応する変調磁界が印加されると共に、光ヘッド３より記録に必要な強度の光ビームが照射されることで、所望のセクタデータの記録が行なわれる。ｓ７にて１セクタの記録が完了すると、ｓ８にて記録第２アドレスであるＧａの値が更新されて第２アドレス情報としてヘッダエンコーダ１３ｂに設定され、ｓ９にて記録セクタ数ＷＳの更新を行って、ｓ１０にてＷＳが”０”であるかどうかを判定することで指定されたセクタ数の記録動作が終了が判定される。ここで記録が終了しておればｓ１１に達して記録処理を終了する一方、未終了の場合はｓ６に戻り、以降、上記動作を繰り返すことにより上位装置から指定されたセクタ数に相当するデータの記録が行なわれるものである。
【００５１】
次に再生動作について説明する。図６は上記ディスク記録再生装置における再生動作流れを示すフローチャートである。端子１２より上位装置から再生指示が与えられると、コントローラ１０は上位装置インタフェース１１を介して再生指示を認識し、再生動作のための処理が開始される（ｓ２０）。ｓ２１にてコントローラ１０は上位装置より指示された再生開始指定アドレスから第１アドレス情報に対応する再生ブロックアドレスＰａと第２アドレス情報に対応する再生セクタアドレスＧａを設定すると共に、指示された再生セクタ数をＲＳとして設定する。次に、コントローラ１０はｓ２２にて再生を行なうべきブロック位置であるＰａを含むトラックへのアクセス動作を行なう。そしてｓ２３にて第２アドレスデコーダ９より得られる現在の第２アドレスがＧａと一致するかどうかが判定され、一致するとｓ２４に達して所望セクタの再生が行なわれる。具体的には、再生データ処理回路８にてエラー訂正処理を伴ったデータフィールドの復号が行なわれ、上位装置インタフェース１１乃至端子１２を介して上位装置へ転送される。ｓ２４にて１セクタの再生が完了すると、ｓ２５及びｓ２６にて再生第２アドレスＧａ及び再生セクタ数ＲＳの値が更新され、ｓ２７にて再生指定セクタ数分の再生処理が終了したかどうかが判定される。終了した場合はｓ２８に達する一方、終了していない場合はｓ２３に戻って上記処理を繰り返すことで、所望セクタの再生動作が行なわれるものである。
【００５２】
このように本発明のディスク記録再生装置では、第１アドレス情報で与えられるブロックに対し、記録データを所定の長さ毎に区切って第２アドレス情報を付加した複数のセクタを生成して記録することにより、ブロックサイズよりも小さなセクタサイズを有したディスク記録媒体を実現できる。更に、上記ディスク記録再生装置によれば、第１アドレス情報を用いることで線速度一定によるディスク回転制御と記録情報が記録されていない未記録領域へのアクセス動作を行い、ブロックサイズよりも小さなサイズを有するセクタの単位で記録情報の記録再生ができると共に、信頼性の高い第２アドレス情報を用いたセクタ再生が可能となるものである。
【００５３】
（実施例４）本発明の第４に係るディスク記録再生装置の一実施例について説明すれば以下の通りである。図７は上記実施例２で説明した形態のディスク状記録媒体２１を用いて、記録情報の記録再生を行なうディスク記録再生装置の構成図であり、光磁気ディスク２１を支持して回転駆動するためのスピンドルモータ２と、回転する光磁気ディスク２１上の所望の位置にレーザビームを照射し、再生時においては光磁気ディスク２１からの反射光を検出し更に記録時においては再生時よりも高い強度のレーザビーム照射を行う光ヘッド２２と、光ヘッド２２からの検出信号を増幅して再生データ信号やウォブリング信号やサーボ誤差信号等の目的別の信号を生成する再生アンプ２３と、記録時に光磁気ディスク２１に磁界を印加する磁気ヘッド１５と、光ヘッド２２と磁気ヘッド１５とを光磁気ディスク２１の半径方向に移動させる送りモータ４と、再生アンプ２３からのウォブリング信号やサーボ誤差信号とコントローラ２０からの指示に基づいてスピンドルモータ２の回転制御と光ヘッド２２のフォーカシング及びグルーブまたはランドへのトラッキング制御と送りモータ４の送り制御とを行うサーボ制御回路２４と、再生アンプ２３からのウォブリング信号を復調し復号化することで光磁気ディスク２１上の光ビーム位置の検出を可能にするアドレス情報を得る第１アドレスデコーダ６と、端子１２を介して上位装置からの記録再生指示や記録再生データの送受を行う上位装置インタフェース１１と、上位装置インタフェース１１からの記録データやコントローラ２０からの第２アドレスデータに基づいて記録に必要なデータを生成し、更にこれらのデータを記録に適した形式に変調する記録データ処理回路２５と、記録データ処理回路２５からの記録データに対応した磁界を発生させるための磁気ヘッド１５を駆動するコイルドライバ１４と、再生アンプ２３からの再生データ信号を復調してヘッダフィールドを第２アドレスデコーダ９へ送出する一方、データフィールドについて誤り訂正を行う再生データ処理回路８と、再生データ処理回路８からの第２アドレス情報を復号し第２アドレスデータをコントローラ２０へ送出する第２アドレスデコーダ９と、このディスク記録再生装置の各部を制御するコントローラ２０とを備え、これら各部は図に示すように接続されている。
【００５４】
尚、第１アドレスデコーダ６のより詳細な構成は図４で説明した形態を用いることができるし、記録データ処理回路２５のより詳細な構成は図４で説明した形態に対し、セクタエンコーダ１３ｃを図２の２ｇで示したヘッダ情報列に対応させる、即ちフラグフィールドの内容が異なる部分を対応させることで実現されるため、詳細な説明は省略する。
【００５５】
以下に、上記構成を有するディスク記録再生装置における記録再生動作の一実施例を説明する。図８は上記ディスク記録再生装置における記録動作流れを示すフローチャートである。端子１２より上位装置から記録指示が与えられると、コントローラ２０は上位装置インタフェース１１を介して記録指示を認識し、記録動作のための処理が開始される（ｓ３０）。ｓ３１にてコントローラ２０は上位装置より指示された記録開始指定アドレスから第１アドレス情報に対応する記録ブロックアドレスＰａと第２アドレス情報に対応する記録セクタアドレスとしてＧａまたはＬａを設定する。ここで、セクタアドレスＧａ及びＬａはそれぞれ図２に示すグルーブ２ｄ及びランド２ｅに対応するものであり、上位装置からは連続的なブロックアドレス空間として与えられている。具体的には例えばディスク全面のグルーブ側セクタ及びランド側セクタとして各々１，５００，０００個存在したとすると、上位装置からは論理セクタアドレスとしてアドレス番号”１”から”３，０００，０００”までが与えられ、コントローラ２０はこれらの論理セクタアドレスを受けて論理セクタアドレスが”１”から”１，５００，０００”の場合はグルーブ側のセクタアドレスとして”１”から”１，５００，０００”の値をそのまま用いる一方、論理セクタアドレスが１，５００，００１”から”３，０００，０００”の場合はランド側のセクタアドレスとして”１”から”１，５００，０００”として割り当てを行う。
【００５６】
即ち、セクタアドレスは上記のようにグルーブ側とランド側を振り分けた結果としてグルーブ側であった場合は論理セクタアドレスのままの値とし、ランド側であった場合は論理セクタアドレスから”１，５００，０００”を減じた値とすることができる。このようなアドレス変換を行うことにより、上位装置からはグルーブとランドを意識することなく連続的なセクタとして取り扱うことができる。また、ここでは図２に示すように、１ブロック当たり４個のセクタを配置する形態について説明するものであり、ブロックアドレスは上記ＧａまたはＬａの値を４で割った値とすることができる。次に、ｓ３２にて上位装置から指示された記録セクタ数をＷＳとして設定する。そしてｓ３３にてセクタの先頭に配置すべき第２アドレスデータとして上記で求めたＧａまたはＬａを記録データ処理回路２５へ設定すると共に、図２の２ｇで示すフラグフィールドｇ３及びｇ８としてグルーブ側かランド側かの識別情報を設定する。次に、コントローラ２０はｓ３４にてグルーブ側かランド側かの上記判定結果に基づき、トラッキングサーボの極性を設定する。
【００５７】
これは、トラッキングサーボ方式として一般的なプッシュプル方式を用いた場合、トラッキングサーボの極性を切り替えることによってグルーブ側、ランド側それぞれへのトラッキングサーボが行われるものであり、コントローラ２０からサーボ制御回路２４へ指令が発せられることにより実施される。そして、ｓ３５にて記録を行なうべきブロック位置であるＰａを含むグルーブまたはランドへのアクセス動作を行なう。このアクセス動作に関しては、コントローラ２０が第１アドレスデコーダから逐次得られる現在の第１アドレスを認識し、サーボ制御回路２４を介して送りモータ４及び光ヘッド２２を制御することにより所望位置への光ビーム移動が行なわれる。次にｓ３７にて記録データ処理回路２５から得られるセクタの計数情報を判定し、記録開始タイミングであるかどうかが判定される。ｓ３７にて、セクタ計数情報が記録を行うべきセクタのタイミングと一致したことが判定されると、ｓ３８に達し、セクタ単位の記録が開始される。ここで、第１アドレス情報に対応するブロックと第２アドレス情報が対応するセクタは上述のように第１アドレスデコーダ６内の同期検出結果により記録データ処理回路２５内のタイミング生成部が同期化されていることにより常に同期した関係で以下の記録が行なわれる。
【００５８】
ｓ３８においては図２の２ｆ及び２ｇで示す構成のセクタデータとして、記録データ処理回路２５にて、コントローラ２０より与えられた第２アドレスデータＧａまたはＬａを含むヘッダフィールドｄ１が生成され、引き続き上位装置から端子１２より上位装置インタフェース１１を介して入力される記録データを所定のセクタサイズ、例えば５１２バイト毎で区切ってエラー訂正符号等の生成付加が行なわれることにより図２で示すデータフィールドｄ３の生成が行なわれる。そして、これらの生成データ列が記録データ処理回路２５内の変調回路により変調された１セクタ分のデータとしてコイルドライバ１４へ送出され、磁気ヘッド１５からはセクタデータに対応する変調磁界が印加されると共に、光ヘッド２２より記録に必要な強度の光ビームが照射されることで、所望のセクタデータの記録が行なわれる。ｓ３８にて１セクタの記録が完了すると、ｓ３９にて記録第２アドレスであるＧａまたはＬａの値が更新されて第２アドレス情報としてヘッダエンコーダ１３ｂに設定され、ｓ４０にて記録セクタ数ＷＳの更新を行って、ｓ４１にてＷＳが”０”であるかどうかを判定することで指定されたセクタ数の記録動作が終了が判定される。
【００５９】
ここで記録が終了しておればｓ４２に達して記録処理を終了する一方、未終了の場合はｓ３７に戻り、以降、上記動作を繰り返すことにより上位装置から指定されたセクタ数に相当するデータの記録が行なわれるものである。
【００６０】
次に再生動作について図９を用いて説明する。図９は上記ディスク記録再生装置における再生動作流れを示すフローチャートである。端子１２より上位装置から再生指示が与えられると、コントローラ２０は上位装置インタフェース１１を介して再生指示を認識し、再生動作のための処理が開始される（ｓ５０）。ｓ５１にてコントローラ２０は上位装置より指示された再生開始指定論理アドレスから第１アドレス情報に対応する再生ブロックアドレスＰａを設定すると共に、前記図８の説明と同様のアドレス変換を行って第２アドレス情報に対応するグルーブ側再生セクタアドレスＧａまたはランド側再生セクタアドレスＬａを設定する。そしてｓ５２により、上位装置から指示された再生セクタ数をＲＳとして設定する。次に、コントローラ２０はｓ５３にて上記で判定したグルーブ側かランド側の結果に基づいてトラッキングサーボの極性を該当する側に設定し、ｓ５４にて再生を行なうべきブロック位置であるＰａを含むグルーブまたはランドへのアクセス動作を行なう。次にｓ５５にて第２アドレスデコーダ９より得られる現在の第２アドレスがＧａまたはＬａと一致するかどうかが判定され、一致するとｓ５６に達して所望セクタの再生が行なわれる。具体的には、再生データ処理回路８にてエラー訂正処理を伴ったデータフィールドの復号が行なわれ、上位装置インタフェース１１乃至端子１２を介して上位装置へ転送される。ｓ５６にて１セクタの再生が完了すると、ｓ５７及びｓ５８にて再生第２アドレスＧａまたはＬａ、及び再生セクタ数ＲＳの値が更新され、ｓ５９にて再生指定セクタ数分の再生処理が終了したかどうかが判定される。終了した場合はｓ６０に達する一方、終了していない場合はｓ５５に戻って上記処理を繰り返すことで、所望セクタの再生動作が行なわれるものである。
【００６１】
このように本発明のディスク記録再生装置では、第１アドレス情報で与えられるブロックに対し、記録データを所定の長さ毎に区切って第２アドレス情報を付加した複数のセクタを生成して記録することにより、ブロックサイズよりも小さなセクタサイズを有したディスク記録媒体を実現できると共に、グルーブとランドの両方を用いた記録再生が実現されることにより記録容量を飛躍的に増大できる。更に、上記ディスク記録再生装置によれば、第１アドレス情報を用いることで線速度一定によるディスク回転制御と記録情報が記録されていない未記録領域へのアクセス動作を行い、ブロックサイズよりも小さなサイズを有するセクタの単位で記録情報の記録再生ができると共に、信頼性の高い第２アドレス情報を用いた記録再生が可能となる。また、上位装置から与えられる論理セクタアドレスを、ディスク上のグルーブ側またはランド側の第２アドレス情報、及び第１アドレス情報に変換するよう構成することで、上位装置からはグルーブとランドを意識することなく連続したセクタアドレス空間として利用でき、利便性を向上できる。
【００６２】
（実施例５）本発明の第５に係るディスク記録再生装置の一実施例について説明すれば以下の通りである。図１０は前記実施例１で説明した形態のディスク状記録媒体１を用いて、記録情報の記録再生を行なうディスク記録再生装置の構成図であり、光磁気ディスク１を支持して回転駆動するためのスピンドルモータ２と、回転する光磁気ディスク１上の所望の位置にレーザビームを照射し、再生時においては光磁気ディスク１からの反射光を検出し更に記録時においては再生時よりも高い強度のレーザビーム照射を行う光ヘッド３と、光ヘッド３からの検出信号を増幅して再生データ信号やウォブリング信号やサーボ誤差信号等の目的別の信号を生成する再生アンプ５と、記録時に光磁気ディスク１に磁界を印加する磁気ヘッド１５と、光ヘッド３と磁気ヘッド１５とを光磁気ディスク１の半径方向に移動させる送りモータ４と、再生アンプ５からのウォブリング信号やサーボ誤差信号とコントローラ３０からの指示に基づいてスピンドルモータ２の回転制御と光ヘッド３のフォーカシング及びトラッキング制御と送りモータ４の送り制御とを行うサーボ制御回路７と、再生アンプ５からのウォブリング信号を復調し復号化することで光磁気ディスク１上の光ビーム位置の検出を可能にするアドレス情報を得る第１アドレスデコーダ６と、端子１２を介して上位装置からの記録再生指示や記録再生データの送受を行う上位装置インタフェース１１と、上位装置インタフェース１１からの記録データやコントローラ３０からの第２アドレスデータ、または内部で生成する初期化データに基づいて記録に必要なデータを生成し、更にこれらのデータを記録に適した形式に変調する記録データ処理回路３１と、記録データ処理回路３１からの記録データに対応した磁界を発生させるための磁気ヘッド１５を駆動するコイルドライバ１４と、再生アンプ５からの再生データ信号を復調してヘッダフィールドを第２アドレスデコーダ９へ送出する一方、データフィールドについて誤り訂正を行う再生データ処理回路８と、再生データ処理回路８からの第２アドレス情報を復号し第２アドレスデータをコントローラ３０へ送出する第２アドレスデコーダ９と、このディスク記録再生装置の各部を制御するコントローラ３０とを備え、これら各部は図に示すように接続されている。
【００６３】
また、図１１は記録データ処理回路３１のより詳細な構成を示すブロック図であり、記録データ処理回路３１は、記録に必要な各種タイミング信号を生成すると共に１ブロック単位の時間経過に伴って現在セクタが何番目であるかを示すセクタ計数情報を出力するタイミング生成部３１ａと、タイミング生成部３１ａからのタイミング信号に基づいて、コントローラ３０からの第２アドレスデータ等から第２アドレス情報を示すヘッダフィールドを生成するヘッダエンコーダ３１ｂと、上位装置インタフェース１１から与えられる記録データ、または初期データ生成回路３１ｅから与えられる初期化データに誤り訂正符号を生成して付加したデータフィールドを生成するデータエンコーダ３１ｃと、ヘッダエンコーダ３１ｂからのヘッダフィールド情報またはデータエンコーダ３１ｃからのデータフィールド情報を記録に適した形式に変調する変調回路３１ｄより構成されている。そして、記録動作においては第１アドレス情報より検出される同期検出パルスに基づいて記録データ処理回路のタイミング生成部３１ａが制御される形態となっており、具体的には、図１の１ｂで示すブロック領域に対し、記録情報として１ｃで示すセクタ領域に対応するよう、第１アドレス情報の同期検出パルスに基づいて逐次同期化されるものである。
【００６４】
本実施例では１ブロック当たり４個のセクタが割り当てられており、タイミング生成回路３１ａは４セクタに１回、第１アドレス情報の同期検出パルスが入力されることで、１ｂで示すブロックと１ｃで示すセクタの同期が取られることになる。一方、タイミング生成回路３１ａからはセクタ計数情報が出力されており、第１アドレス情報の同期検出パルスによって初期化され、セクタ毎に増加する形態のセクタ情報としてコントローラ３０に供給されている。具体的には、例えば１ｃで示す各々のセクタに対し、セクタｃ１、ｃ５・・・では計数値”０”、セクタｃ２、ｃ６・・・では計数値”１”、セクタｃ３、ｃ７・・・では計数値”２”、セクタｃ４、ｃ８・・・では計数値”３”を逐次示すようなセクタ計数情報が与えられる。
【００６５】
以下に、上記構成を有するディスク記録再生装置における記録再生動作の一実施例を説明する。図１２は上記ディスク記録再生装置における初期化記録の動作流れを示すフローチャートである。端子１２より上位装置から初期化指示が与えられると、コントローラ３０は上位装置インタフェース１１を介して初期化指示を認識し、初期化記録動作のための処理が開始される（ｓ７０）。ｓ７１にてコントローラ３０は上位装置より指示された初期化記録開始指定アドレスから第１アドレス情報に対応する初期化記録ブロックアドレスＰａと第２アドレス情報に対応する記録セクタアドレスＧａを設定すると共に、指示された初期化記録ブロック数をＷＢとして設定する。ここでは図１に示すように、１ブロック当たり４個のセクタを配置する形態について説明するものであり、例えばセクタアドレス値はブロックアドレス値の４倍の関係とすることができる。次に、コントローラ３０はｓ７２にてセクタの先頭に配置すべき第２アドレスデータとしてＧａを記録データ処理回路３１へ設定する。そしてｓ７３にて初期化記録を行なうべきブロック位置であるＰａを含むトラックへのアクセス動作を行なう。このアクセス動作に関しては、コントローラ３０が第１アドレスデコーダから逐次得られる現在の第１アドレスを認識し、サーボ制御回路７を介して送りモータ４及び光ヘッド３を制御することにより所望位置への光ビーム移動が行なわれる。次にｓ７４にて第１アドレスデコーダ６より得られる現在の第１アドレスがＰａと一致するかどうかが判定され、一致するとｓ７５に達し、セクタ単位の初期化記録が開始される。ここで、第１アドレス情報が対応するブロックと第２アドレス情報が対応するセクタは上述のように第１アドレスデコーダ６内の同期検出結果により記録データ処理回路３１内のタイミング生成部が同期化されていることにより常に同期した関係で以下の初期化記録が行なわれる。ｓ７５においては図１の１ｄ及び１ｅで示す構成のセクタデータとして、記録データ処理回路３１にて、コントローラ３０より与えられた第２アドレスデータＧａを含むヘッダフィールドｄ１が生成され、引き続き記録データ処理回路３１の内部で生成される初期化データが所定のセクタサイズ、例えば５１２バイト毎で区切ってエラー訂正符号等の生成付加が行なわれることにより図１で示すデータフィールドｄ３の生成が行なわれる。
【００６６】
そして、これらの生成データ列が変調回路３１ｄにより変調された１セクタ分のデータとしてコイルドライバ１４へ送出され、磁気ヘッド１５からはセクタデータに対応する変調磁界が印加されると共に、光ヘッド３より記録に必要な強度の光ビームが照射されることで、所望のセクタの初期化記録が行なわれる。ｓ７５にて１セクタの初期化記録が完了すると、ｓ７６にて初期化記録第２アドレスであるＧａの値が更新されてヘッダエンコーダ３１ｂに設定され、ｓ７７にて１ブロックの初期化記録動作が終了したかどうかが判定される。ここでは１ブロックが４セクタで構成される場合を示しているため、タイミング生成回路３１ａから得られるセクタ計数情報を判定し、４セクタの記録が終了するまでｓ７５乃至ｓ７７の動作を繰り返すことで、１ブロックの記録が終了する。そして、ｓ７８にて初期化記録ブロック数ＷＢを減じ、ｓ７９にて上位装置から指示された記録ブロック数に対応する初期化記録が終了したかどうかを判定する。初期化記録が終了しておればｓ８０に達して初期化記録処理を終了する一方、未終了の場合はｓ８１にて初期化記録第１アドレスＰａを更新してｓ７４に戻り、以降、上記動作を繰り返すことにより上位装置から指定されたブロック数に相当する初期化記録が行なわれるものである。この初期化記録動作は、従来のフロッピーディスク装置のように、基本的にはディスクを使う前に一度だけ初期化記録動作を実行することで、以下に説明する通常の記録再生動作が第２アドレスを用いてセクタ単位で実現できるものである。
【００６７】
次に通常の記録動作について説明する。図１３は上記ディスク記録再生装置における記録動作流れを示すフローチャートである。端子１２より上位装置から記録指示が与えられると、コントローラ３０は上位装置インタフェース１１を介して記録指示を認識し、記録動作のための処理が開始される（ｓ９０）。ｓ９１にてコントローラ３０は上位装置より指示された記録開始指定アドレスから第１アドレス情報に対応する記録ブロックアドレスＰａと第２アドレス情報に対応する記録セクタアドレスＧａを設定すると共に、指示された記録セクタ数をＷＳとして設定する。次に、コントローラ３０はｓ９２にて記録を行なうべきブロック位置であるＰａを含むトラックへのアクセス動作を行なう。そしてｓ９３にて第２アドレスデコーダ９より得られる現在の第２アドレスがＧａと一致するかどうかが判定され、一致するとｓ９４に達して所望セクタの記録が行なわれる。ここでの記録動作は、図１の１ｄで示す構成のセクタデータにおけるデータフィールドｄ３に該当する部分の記録であり、上位装置から端子１２乃至上位装置インタフェース１１を介して入力される記録データは、記録データ処理回路３１にて所定のセクタサイズ、例えば５１２バイト毎で区切ってエラー訂正符号等の生成付加が行なわれることにより図１で示すデータフィールドｄ３の生成が行なわれて１セクタ分のデータがコイルドライバ１４へ送出されることで、磁気ヘッド１５からはセクタデータに対応する変調磁界が印加されると共に、光ヘッド３より記録に必要な強度の光ビームが照射されることで、所望のセクタデータの記録が行なわれる。ｓ９４にて１セクタの記録が完了すると、ｓ９５にて記録第２アドレスＧａが更新されてヘッダエンコーダ３１ｂへ設定され、ｓ９６にて記録指定セクタ数ＷＳの値が更新され、ｓ９７にて記録指定セクタ数分の記録処理が終了したかどうかが判定される。
【００６８】
終了した場合はｓ９８に達する一方、終了していない場合はｓ９３に戻って上記処理を繰り返すことで、所望セクタの記録動作が行なわれる。一方、再生動作については図６で説明した形態と同様に第２アドレス情報を用いた所望セクタのデータ再生が実施できるものである。このように本発明のディスク記録再生装置では、第１アドレス情報で与えられるブロックに対し、記録に先立った初期化記録動作の段階で第２アドレス情報を付加した複数のセクタを生成して記録することで、ブロックサイズよりも小さなセクタサイズを有したディスク記録媒体を実現できる。更に、上記ディスク記録再生装置によれば、第１アドレス情報を用いることで線速度一定によるディスク回転制御と記録情報が記録されていない未記録領域へのアクセス動作を行い、記録再生を行なう場合においてブロックサイズよりも小さなサイズを有するセクタの単位で記録情報を記録再生することができると共に、信頼性の高い第２アドレス情報を用いたセクタ単位の記録再生動作が可能となるものである。
【００６９】
（実施例６）本発明の第６に係るディスク記録再生装置の一実施例について説明すれば以下の通りである。図１４は上記実施例２で説明した形態のディスク状記録媒体２１を用いて、記録情報の記録再生を行なうディスク記録再生装置の構成図であり、光磁気ディスク２１を支持して回転駆動するためのスピンドルモータ２と、回転する光磁気ディスク２１上の所望の位置にレーザビームを照射し、再生時においては光磁気ディスク２１からの反射光を検出し更に記録時においては再生時よりも高い強度のレーザビーム照射を行う光ヘッド２２と、光ヘッド２２からの検出信号を増幅して再生データ信号やウォブリング信号やサーボ誤差信号等の目的別の信号を生成する再生アンプ２３と、記録時に光磁気ディスク２１に磁界を印加する磁気ヘッド１５と、光ヘッド２２と磁気ヘッド１５とを光磁気ディスク２１の半径方向に移動させる送りモータ４と、再生アンプ２３からのウォブリング信号やサーボ誤差信号とコントローラ４０からの指示に基づいてスピンドルモータ２の回転制御と光ヘッド２２のフォーカシングとグルーブまたはランドへのトラッキング制御と送りモータ４の送り制御とを行うサーボ制御回路２４と、再生アンプ２３からのウォブリング信号を復調し復号化することで光磁気ディスク２１上の光ビーム位置の検出を可能にするアドレス情報を得る第１アドレスデコーダ６と、端子１２を介して上位装置からの記録再生指示や記録再生データの送受を行う上位装置インタフェース１１と、上位装置インタフェース１１からの記録データやコントローラ４０からの第２アドレスデータ、または記録データ処理回路内部で生成される初期化データに基づいて記録に必要なデータを生成し、更にこれらのデータを記録に適した形式に変調する記録データ処理回路４１と、記録データ処理回路４１からの記録データに対応した磁界を発生させるための磁気ヘッド１５を駆動するコイルドライバ１４と、再生アンプ２３からの再生データ信号を復調してヘッダフィールド情報を第２アドレスデコーダ９へ送出する一方、データフィールド情報について誤り訂正を行う再生データ処理回路８と、再生データ処理回路８からの第２アドレス情報を復号し第２アドレスデータをコントローラ４０へ送出する第２アドレスデコーダ９と、このディスク記録再生装置の各部を制御するコントローラ４０とを備え、これら各部は図に示すように接続されている。
【００７０】
尚、記録データ処理回路４１のより詳細な構成は図１１で説明した形態に対し、セクタエンコーダ３１ｃを図２の２ｇで示したヘッダ情報列に対応させる、即ちフラグフィールドの内容が異なる部分を対応させることで実現されるため、詳細な説明は省略する。
【００７１】
以下に、上記構成を有するディスク記録再生装置における記録再生動作の一実施例を説明する。図１５及び図１６は上記ディスク記録再生装置における初期化記録動作流れを示すフローチャートであり、上位装置からの指示に基づいて初期化記録動作を行う場合について説明する。尚、ここで用いるディスク上のブロックとグルーブ及びランドのセクタについては図２で説明した形態を有しており、上位装置からは連続的な論理ブロックアドレス空間及び論理セクタアドレス空間として与えられている。具体的には例えばディスク全面のグルーブ側セクタ及びランド側セクタとして各々１，５００，０００個存在したとすると、上位装置からは論理ブロックアドレスとしてアドレス番号”１”から”７５０，０００”まで（または論理セクタアドレスとしてアドレス番号”１”から”３，０００，０００”まで）が与えられ、コントローラ４０はこれらの論理ブロックアドレス（または論理セクタアドレス）を受け、論理ブロックアドレスが”１”から３７５，０００”（または論理セクタアドレスが”１”から”１，５００，０００”）の場合はグルーブ側のセクタアドレスへの変換を行う一方、論理ブロックアドレスが”３７５，００１”から”１，５００，０００”（または論理セクタアドレスが１，５００，００１”から”３，０００，０００”）の場合はランド側のセクタアドレスへの変換を行う。即ち、セクタアドレスは上記のようにグルーブ側とランド側を振り分けた結果としてグルーブ側であった場合は論理ブロックアドレスの４倍の値（または論理セクタアドレスのままの値）とし、ランド側であった場合は論理ブロックアドレスから”３７５，０００”を減じて４倍した値（または論理セクタアドレスから”１，５００，０００”を減じた値）とすることができる。
【００７２】
このようなアドレス変換を行うことにより、上位装置からはグルーブとランドを意識することなく連続的なブロック（またはセクタ）として取り扱うことができる。また、ここでは図２に示すように、１ブロック当たり４個のセクタを配置する形態について説明するものであり、ブロックアドレスＰａは上記グルーブ側またはランド側のセクタアドレス値を４で割った値とすることができる。尚、以下の説明においては、上位装置からの初期化記録指示として、例えばディスク全面の初期化記録のようなグルーブ側セクタとランド側セクタを含む領域の初期化記録指示がなされることを前提としている。
【００７３】
端子１２より上位装置から初期化記録指示が与えられると、コントローラ４０は上位装置インタフェース１１を介して初期化記録指示を認識し、初期化記録動作のための処理が開始される（ｓ１００）。ｓ１０１にてコントローラ４０は上位装置より指示された初期化記録開始指定アドレスから前述のアドレス変換を行って第１アドレス情報に対応する初期化記録ブロックアドレスＰａと第２アドレス情報に対応する初期化記録セクタアドレスＧａを設定する。次に、ｓ１０２にて上位装置から指示された初期化記録ブロック数よりグルーブ側に該当する初期化記録ブロック数をＷＢとして設定する。そしてｓ１０３にてセクタの先頭に配置すべき第２アドレスデータとして上記で求めたＧａを記録データ処理回路４１へ設定すると共に、図２の２ｇで示すフラグフィールドｇ３及びｇ８としてグルーブ側かランド側かの識別情報を設定する。次に、コントローラ４０はｓ１０４にてトラッキングサーボの極性をグルーブ側に設定し、ｓ１０５にて初期化記録を行なうべきブロック位置であるＰａを含むグルーブへのアクセス動作を行なう。このアクセス動作に関しては、コントローラ４０が第１アドレスデコーダから逐次得られる現在の第１アドレスを認識し、サーボ制御回路２４を介して送りモータ４及び光ヘッド２２を制御することにより所望位置への光ビーム移動が行なわれる。次にｓ１０６にて第１アドレスデコーダ６より得られる現在の第１アドレスがＰａと一致するかどうかが判定され、一致するとｓ１０７に達し、セクタ単位の初期化記録が開始される。
【００７４】
ここで、第１アドレス情報が対応するブロックと第２アドレス情報が対応するセクタは上述のように第１アドレスデコーダ６内の同期検出結果により記録データ処理回路４１内のタイミング生成部が同期化されていることから常に同期した関係で以下の記録が行なわれる。ｓ１０７においては図２の２ｆ及び２ｇで示す構成のセクタデータとして、記録データ処理回路４１にて、コントローラ４０より与えられた第２アドレスデータＧａを含むヘッダフィールドｆ１が生成され、引き続き記録データ処理回路４１の内部で生成される初期化データが所定のデータサイズ、例えば５１２バイト毎で区切ってエラー訂正符号等の生成付加が行なわれることにより図２で示すデータフィールドｆ３の生成が行なわれ、コイルドライバ１４へ送出されることで、磁気ヘッド１５からはセクタデータに対応する変調磁界が印加されると共に、光ヘッド２２より記録に必要な強度の光ビームが照射されることで、所望のセクタデータの初期化記録が行なわれる。ｓ１０７にて１セクタの初期化記録が完了すると、ｓ１０８にて記録第２アドレスであるＧａの値が更新されて記録データ処理回路４１に設定され、ｓ１０９にて１ブロックの記録動作が終了したかどうかが、記録データ処理回路４１からのセクタ計数情報にて判定される。ここでは１ブロックが４セクタで構成される場合を示しているため、４セクタの記録が終了するまでｓ１０７乃至ｓ１０９の動作を繰り返すことで、１ブロックの記録が終了する。そして、ｓ１１０にて記録ブロック数ＷＢを減じ、ｓ１１１にて上位装置から指示された初期化記録ブロック数の内、グルーブ側に該当するブロック数の初期化記録が終了したかどうかを判定する。グルーブ側の初期化記録動作が終了していない場合は、ｓ１１２にて初期化記録第１アドレスＰａを更新してｓ１０６に戻り、以降、上記動作を繰り返すことによりグルーブ側の初期化記録が行なわれる。グルーブ側の初期化記録が終了するとｓ１１３に達し、ランド側の初期化記録動作に移行する。ｓ１１４では上述のアドレス換算を行うことで第１アドレス情報に対応する初期化記録ブロックアドレスＰａと第２アドレス情報に対応する初期化記録セクタアドレスＬａを設定する。次に、ｓ１１５にて上位装置から指示された初期化記録ブロック数よりランド側に該当する初期化記録ブロック数をＷＢとして設定する。
【００７５】
そしてｓ１１６にてセクタの先頭に配置すべき第２アドレスデータとして上記で求めたＬａを記録データ処理回路４１へ設定すると共に、図２の２ｇで示すフラグフィールドｇ３及びｇ８としてグルーブ側かランド側かの識別情報を設定する。次に、コントローラ４０はｓ１１７にてトラッキングサーボの極性をランド側に設定し、ｓ１１８にて初期化記録を行なうべきブロック位置であるＰａを含むランドへのアクセス動作を行なう。以降、グルーブ側の前記初期化記録動作と同様に、ｓ１１９にて第１アドレスがＰａと一致するかどうかが判定され、一致すると、セクタ単位の初期化記録が行われｓ１２０、ｓ１２１にて記録第２アドレスであるＬａの値が更新されて記録データ処理回路４１に設定され、ｓ１２２にて１ブロックの記録動作が終了したかどうかが、記録データ処理回路４１からのセクタ計数情報にて判定され、４セクタの記録が終了するまでｓ１２０乃至ｓ１２２の動作を繰り返すことで、１ブロックの記録が終了する。そして、ｓ１２３にて初期化記録ブロック数ＷＢを減じ、ｓ１２４にて上位装置から指示された初期化記録ブロック数の内、ランド側に該当するブロック数の初期化記録が終了したかどうかを判定する。ランド側の初期化記録動作が終了している場合はｓ１２５に達し、初期化記録処理を終える一方、終了していない場合は、ｓ１２６にて初期化記録第１アドレスＰａを更新してｓ１１９に戻り、以降、上記動作を繰り返すことによりランド側の初期化記録が行なわれるものである。この初期化記録動作は、従来のフロッピーディスク装置のように、基本的にはディスクを使う前に一度だけ初期化記録を実行することで、以下に説明する通常の記録再生動作が第２アドレスを用いてセクタ単位で実現できるものである。
【００７６】
次に通常の記録動作について説明する。図１７は上記ディスク記録再生装置における記録動作流れを示すフローチャートである。端子１２より上位装置から記録指示が与えられると、コントローラ４０は上位装置インタフェース１１を介して再生指示を認識し、記録動作のための処理が開始される（ｓ１３１）。ｓ１３１にてコントローラ４０は上位装置より指示された記録開始指定論理アドレスから上述のアドレス変換を行って、第１アドレス情報に対応する記録ブロックアドレスＰａを設定すると共に、第２アドレス情報に対応するグルーブ側記録セクタアドレスＧａまたはランド側記録セクタアドレスＬａを設定する。そしてｓ１３２により、上位装置から指示された記録セクタ数をＲＳとして設定する。次に、コントローラ４０はｓ１３３にて上記で判定したグルーブ側かランド側の結果に基づいてトラッキングサーボの極性を該当する側に設定し、ｓ１３４にて記録を行なうべきブロック位置であるＰａを含むグルーブまたはランドへのアクセス動作を行なう。次にｓ１３５にて第２アドレスデコーダ９より得られる現在の第２アドレスがＧａまたはＬａと一致するかどうかが判定され、一致するとｓ１３６に達して所望セクタの記録が行なわれる。ここでの記録動作は、図２の２ｆで示す構成のセクタデータにおけるデータフィールドｆ３に該当する部分の記録であり、上位装置から端子１２乃至上位装置インタフェース１１を介して入力される記録データは、記録データ処理回路４１にて所定のセクタサイズ、例えば５１２バイト毎で区切ってエラー訂正符号等の生成付加が行なわれることにより図２で示すデータフィールドｆ３の生成が行なわれて１セクタ分のデータがコイルドライバ１４へ送出されることで、磁気ヘッド１５からはセクタデータに対応する変調磁界が印加されると共に、光ヘッド３より記録に必要な強度の光ビームが照射されることで、所望のセクタデータの記録が行なわれる。
【００７７】
ｓ１３６にて１セクタの記録が完了すると、ｓ１３７にて記録第２アドレスＧａまたはＬａが更新されて記録データ処理回路４１へ設定され、ｓ１３８にて記録指定セクタ数ＷＳの値が更新され、ｓ１３９にて記録指定セクタ数分の記録処理が終了したかどうかが判定される。終了した場合はｓ１４０に達する一方、終了していない場合はｓ１３５に戻って上記処理を繰り返すことで、所望セクタの記録動作が行なわれる。一方、再生動作については図９で説明した形態と同様に第２アドレス情報を用いた所望セクタのデータ再生が実施できるものである。
【００７８】
このように本発明のディスク記録再生装置では、第１アドレス情報で与えられるブロックに対し、初期化記録データを所定の長さ毎に区切って第２アドレス情報を付加した複数のセクタを生成して記録することにより、ブロックサイズよりも小さなセクタサイズを有したディスク記録媒体を実現できると共に、グルーブとランドの両方を用いた記録再生が実現されることにより記録容量を飛躍的に増大できる。更に、上記ディスク記録再生装置によれば、第１アドレス情報を用いることで線速度一定によるディスク回転制御と記録情報が記録されていない未記録領域へのアクセス動作を行い、ブロックサイズよりも小さなサイズを有するセクタの単位で記録情報を記録再生することができると共に、信頼性の高い第２アドレス情報を用いたセクタ単位の記録再生動作が可能となるものである。
【００７９】
尚、上記説明においては、上位装置からの初期化記録指示として、ディスク全面の初期化記録のようなグルーブ側セクタとランド側セクタを含む領域の初期化記録指示がなされることを前提とした処理形態で説明したが、グルーブ側のみ、またはランド動作側のみの初期化記録処理を行う場合は、上記処理形態を対応させることで容易に実現できることは明白である。
【００８０】
更に、上記の各々の実施例は本発明を限定するものではなく、本発明の範囲内で種々の変更が可能である。例えば、上記の各実施例においては第１アドレス情報が対応する１個のブロックに対し、第２アドレス情報が含まれるセクタ数として４個を割り当てた場合の例で説明したが、ここでのセクタ数は目的に応じて２個以上の任意の数を設定できることは勿論であるし、２個のブロックに対して５個のセクタを割り当てるような関係で実施することも可能である。同様に、第２アドレス情報の構成例として、同一のアドレス値を２回繰り返して記録する形態で説明したが、要求される信頼性に合致した繰り返し記録回数とすればよい。また、第１アドレス情報または第２アドレス情報の構成としてアドレスデータに誤り検出コードであるＣＲＣフィールドを付加した形態で説明したが、アドレスデータに誤り訂正コードを付加することによって信頼性を向上させてもよい。更に、ディスク状記録媒体として、光磁気方式を用いた場合を説明したが、相変化方式等でも適用可能であることは明白である。
【００８１】
【発明の効果】
以上のように、本発明のディスク状記録媒体は、グルーブ側壁がディスクの半径方向に蛇行または偏倚する形態で第１アドレス情報が事前記録されたディスク状記録媒体であって、第１アドレス情報が与えられるブロック領域と、所定長さで分割された記録データ毎に第２アドレス情報が付加されたセクタ領域とを有し、ｎ個のブロック領域上にｍ個のセクタ領域（ｎ＜ｍ、但し、ｎ、ｍは共に整数）が割り当てられていることを特徴としている。
【００８２】
これにより、第１アドレス情報に対応したブロックサイズよりも小さなセクタサイズでの記録再生が行えると共に、セクタに対するアドレス情報として信頼性の高い第２アドレス情報を与えることが可能になる。また、第１アドレス情報が事前記録された１種類のディスク状記録媒体に対して、目的に応じたセクタサイズでの記録再生が可能となり、セクタサイズ別にディスクを準備する必要がないことから、ディスクの低価格化に寄与する。更に、ブロックサイズとセクタサイズを独立して設定が可能であることから、第１アドレス情報として誤り検出コードを付加したり複数回の多重記録を行う等して信頼性を向上させる等、自由度が向上できる効果がある。
【００８３】
また、本発明のディスク状記録媒体は、グルーブ側壁の片側のみがディスクの半径方向に蛇行または偏倚する形態で第１アドレス情報が事前記録されたディスク状記録媒体であって、第１アドレス情報が与えられるグルーブ及びランド各々のブロック領域と、所定長さで分割された記録データ毎に第２アドレス情報が付加されたセクタ領域とを有し、ｎ個のブロック領域のグルーブ及びランド上にｍ個のセクタ領域（ｎ＜ｍ、但し、ｎ、ｍは共に整数）が割り当てられていることを特徴としている。
【００８４】
これにより、第１アドレス情報に対応したブロックサイズよりも小さなセクタサイズでの記録再生がグルーブ上及びランド上各々に対して行えることから任意のセクタサイズによる大容量のディスク記録媒体を実現できると共に、セクタに対するアドレス情報として信頼性の高い第２アドレス情報を与えることが可能になる。また、第１アドレス情報が事前記録された１種類のディスク状記録媒体に対して、目的に応じたセクタサイズでの記録再生が可能となり、セクタサイズ別にディスクを準備する必要がないことから、ディスクの低価格化に寄与する。更に、ブロックサイズとセクタサイズを独立して設定が可能であることから、第１アドレス情報として誤り検出コードを付加したり複数回の多重記録を行う等して信頼性を向上させる等、自由度が向上できる効果がある。
【００８５】
また、上記の記録媒体であって、第２アドレス情報は、共通の第１アドレス値を有するランドとグルーブに対応して各々同一の第２アドレス値を含むことを特徴としている。
【００８６】
これにより、このディスクを用いるディスク記録再生装置においては、グルーブ側の第１アドレス値及び第２アドレス値とランド側の第１アドレス値及び第２アドレス値がそれぞれ同一であることから、第１アドレス値と第２アドレス値の変換を容易に行える効果がある。
【００８７】
さらに、上記の記録媒体であって、第２アドレス情報は、グルーブ上とランド上とで異なった第２アドレス値が割り当てられていることを特徴としている。
【００８８】
これにより、第２アドレス値によってグルーブとランドとの判定を容易に実現できる。
【００８９】
また、上記の記録媒体であって、第１アドレス情報は、線速度一定で形成されていることを特徴としている。
【００９０】
これにより、このディスクを用いるディスク記録再生装置においては、特別なディスク回転数の検出手段やディスク半径位置の検出手段を用いることなく線速度一定のディスク回転制御が行えると共に、記録媒体全体の記録容量を角速度一定で形成された記録媒体に比べて大きくできる。
【００９１】
また、本発明のディスク記録再生装置は、グルーブ側壁がディスクの半径方向に蛇行または偏倚する形態で第１アドレス情報が事前記録されたディスク状記録媒体を用いるディスク記録再生装置であって、該記録媒体から再生される第１アドレス情報に基づいて第２アドレス情報を生成し、第１アドレス情報で与えられるｎ個のブロック領域上に、所定長さの記録データ毎に前記第２アドレス情報を付加したｍ個のセクタの領域（ｎ＜ｍ、但し、ｎ、ｍは共に整数）を割り当てて記録を行う一方、第２アドレス情報に基づいて該セクタ単位で記録データの再生を行うことを特徴としている。
【００９２】
これにより、第１アドレス情報に対応するブロックよりも小さなサイズを有するセクタ単位での記録再生が実現でき、サイズの小さなデータの記録においてもデータ利用率の低下を最小とすることができると共に、データの記録再生に必要な処理時間も最小とすることができる。また、セクタに対するアドレス情報として第２アドレス情報が与えられることから、記録データの再生に関してセクタアドレス認識の信頼性を向上できる効果がある。
【００９３】
また、本発明のディスク記録再生装置は、グルーブ側壁の片側のみがディスクの半径方向に蛇行または偏倚する形態で第１アドレス情報が事前記録されたディスク状記録媒体を用いるディスク記録再生装置であって、該記録媒体から再生される第１アドレス情報に基づいてグルーブ側及びランド側で異なる第２アドレス情報を生成し、第１アドレス情報で与えられるｎ個のグルーブ及びランド各々のブロック領域上に、所定長さの記録データ毎に前記第２アドレス情報を付加したｍ個のセクタの領域（ｎ＜ｍ、但し、ｎ、ｍは共に整数）を割り当てて記録を行う一方、第２アドレス情報に基づいて該セクタ単位で記録データの再生を行うことを特徴としている。
【００９４】
これにより、第１アドレス情報に対応するブロックよりも小さなサイズを有するセクタ単位での記録再生がグルーブ上及びランド上各々に対して行える大容量のディスク記録再生装置を実現でき、サイズの小さなデータの記録においてもデータ利用率の低下を最小とすることができると共に、データの記録再生に必要な処理時間も最小とすることができる。また、セクタに対するアドレス情報として第２アドレス情報が与えられることから、記録データの再生に関してセクタアドレス認識の信頼性を向上できる効果がある。更に、第２アドレス情報としてグルーブ側とランド側とで異なった第２アドレス情報を生成して記録されることから、グルーブ側とランド側の判定を信頼性高く行うことができる。
【００９５】
また、本発明のディスク記録再生装置は、グルーブ側壁がディスクの半径方向に蛇行または偏倚する形態で第１アドレス情報が事前記録されたディスク状記録媒体を用いるディスク記録再生装置であって、該記録媒体から再生される第１アドレス情報に基づいて第２アドレス情報を生成し、第１アドレス情報で与えられるｎ個のブロック領域上に、所定長さの初期化データ毎に前記第２アドレス情報を付加したｍ個のセクタの領域（ｎ＜ｍ、但し、ｎ、ｍは共に整数）を割り当てて記録を行う一方、第２アドレス情報に基づいて所定長さの記録データを前記セクタの領域に割り当てて記録を行い、第２アドレス情報に基づいて前記セクタ単位で該記録データの再生を行うことを特徴としている。
【００９６】
これにより、第１アドレス情報に対応するブロックよりも小さなサイズを有するセクタ単位での記録再生が実現でき、サイズの小さなデータの記録においてもデータ利用率の低下を最小とすることができると共に、データの記録再生に必要な処理時間も最小とすることができる。また、セクタに対するアドレス情報として第２アドレス情報が与えられることから、通常の記録データの記録及び再生に関してセクタアドレス認識の信頼性を向上できる効果がある。
【００９７】
また、本発明のディスク記録再生装置は、グルーブ側壁の片側のみがディスクの半径方向に蛇行または偏倚する形態で第１アドレス情報が事前記録されたディスク状記録媒体を用いるディスク記録再生装置であって、該記録媒体から再生される第１アドレス情報に基づいてグルーブ側及びランド側で異なる第２アドレス情報を生成し、第１アドレス情報で与えられるｎ個のグルーブ及びランド各々のブロック領域上に、所定長さの初期化データ毎に前記第２アドレス情報を付加したｍ個のセクタの領域（ｎ＜ｍ、但し、ｎ、ｍは共に整数）を割り当てて記録を行う一方、第２アドレス情報に基づいて所定長さの記録データを前記セクタの領域に割り当てて記録を行い、第２アドレス情報に基づいて前記セクタ単位で該記録データの再生を行うことを特徴としている。
【００９８】
これにより、第１アドレス情報に対応するブロックよりも小さなサイズを有するセクタ単位での記録再生がグルーブ上及びランド上各々に対して行える大容量のディスク記録再生装置を実現でき、サイズの小さなデータの記録においてもデータ利用率の低下を最小とすることができると共に、データの記録再生に必要な処理時間も最小とすることができる。また、セクタに対するアドレス情報として第２アドレス情報が与えられることから、通常の記録データの記録及び再生に関してセクタアドレス認識の信頼性を向上できる効果がある。更に、第２アドレス情報としてグルーブ側とランド側とで異なった第２アドレス情報を生成して記録されることから、グルーブ側とランド側の判定を信頼性高く行うことができる。
【００９９】
また、上記のディスク記録再生装置であって、記録中に得られる第１アドレス情報に基づいて、第２アドレス情報を含めた記録セクタの同期化を行うことを特徴としている。
【０１００】
これにより、第１アドレス情報が対応するブロックと第２アドレス情報が対応するセクタが常に同期した関係でディスク上に記録できる。
【０１０１】
さらに、上記のディスク記録再生装置であって、第１アドレス情報に基づいてディスクの回転制御を行うことを特徴としている。
【０１０２】
これにより、特別なディスク回転数の検出手段やディスク半径位置の検出手段を用いることなく線速度一定のディスク回転制御が容易に行える。
【０１０３】
また、上記のディスク記録再生装置であって、上位装置からの記録再生指定アドレスからランド側かグルーブ側かを判定すると共に、ランドとグルーブとで異なった第２アドレス情報に変換を行うことを特徴としている。
【０１０４】
これにより、上位装置から指定された記録再生アドレスに該当する予め決められたグルーブ上またはランド上を選択し、その第１アドレス情報が対応するブロックへのアクセス動作が行えると共に、任意の第２アドレス情報が対応するセクタへの記録再生動作を行うことができる。また、上位装置はグルーブ側とランド側との区別をする必要がなく、連続的なセクタ群として取り扱うことが可能となり、利便性が向上するという効果を奏する。
【図面の簡単な説明】
【図１】  本発明の第１におけるディスク状記録媒体で用いられるアドレス情報配置を示す模式図である。
【図２】  本発明の第２におけるディスク状記録媒体で用いられるアドレス情報配置を示す模式図である。
【図３】  本発明の第３におけるディスク記録再生装置の概略を示す構成図である。
【図４】  本発明の第３におけるディスク記録再生装置の第１アドレスデコーダ及び記録データ処理回路の詳細を示す構成図である。
【図５】  本発明の第３におけるディスク記録再生装置の記録動作の流れを示すフローチャートである。
【図６】  本発明の第３におけるディスク記録再生装置の再生動作の流れを示すフローチャートである。
【図７】  本発明の第４におけるディスク記録再生装置の概略を示す構成図である。
【図８】  本発明の第４におけるディスク記録再生装置の記録動作の流れを示すフローチャートである。
【図９】  本発明の第４におけるディスク記録再生装置の再生動作の流れを示すフローチャートである。
【図１０】  本発明の第５におけるディスク記録再生装置の概略を示す構成図である。
【図１１】  本発明の第５におけるディスク記録再生装置の記録データ処理回路の詳細を示す構成図である。
【図１２】  本発明の第５におけるディスク記録再生装置の初期化記録動作の流れを示すフローチャートである。
【図１３】  本発明の第５におけるディスク記録再生装置の記録動作の流れを示すフローチャートである。
【図１４】  本発明の第６におけるディスク記録再生装置の概略を示す構成図である。
【図１５】  本発明の第６におけるディスク記録再生装置の初期化記録動作の流れを示すフローチャートである。
【図１６】  本発明の第６におけるディスク記録再生装置の初期化記録動作の流れを示すフローチャートである。
【図１７】  本発明の第６におけるディスク記録再生装置の記録動作の流れを示すフローチャートである。
【図１８】  従来のディスク状記録媒体で用いられるアドレス情報配置を示す模式図である。
【図１９】  従来及び本発明のディスク状記録媒体で用いられるグルーブ形状を示す模式図である。
【図２０】  従来及び本発明のディスク状記録媒体で用いられるグルーブ形状を示す模式図である。
【符号の説明】
１、２１、２００、２１０ 光磁気ディスク
２０１、２１１ グルーブ
２１２ ランド
３、２２ 光ヘッド
５、２３ 再生アンプ
６ 第１アドレスデコーダ
８ 再生データ処理回路
９ 第２アドレスデコーダ
１０、２０、３０、４０ コントローラ
１３、２５、３１、４１ 記録データ処理回路
【図１】
0003669442.tif 000002
【図２】
0003669442.tif 000003
【図３】
0003669442.tif 000004
【図４】
0003669442.tif 000005
【図５】
0003669442.tif 000006
【図６】
0003669442.tif 000007
【図７】
0003669442.tif 000008
【図８】
0003669442.tif 000009
【図９】
0003669442.tif 000010
【図１０】
0003669442.tif 000011
【図１１】
0003669442.tif 000012
【図１２】
0003669442.tif 000013
【図１３】
0003669442.tif 000014
【図１４】
0003669442.tif 000015
【図１５】
0003669442.tif 000016
【図１６】
0003669442.tif 000017
【図１７】
0003669442.tif 000018
【図１８】
0003669442.tif 000019
【図１９】
0003669442.tif 000020
【図２０】
0003669442.tif 000021